(57)【要約】  本発明は、イベントリマインド方法、装置、システム、プログラム及び記録媒体を提供し、インターネット技術分野に関わる。前記イベントリマインド方法は、同時に少なくとも二つのクライアント端末にイベントリマインドサービスを提供するアラームチャネルにおけるリマインドイベントを取得するステップと、前記アラームチャネルの、前記アラームチャネルを購読した各クライアント端末を含む購読リストを取得するステップと、前記各クライアント端末が前記リマインドイベントに基づきイベントリマインドを発信するように指示するための前記リマインドイベントを、前記購読リストにおける各クライアント端末に送信するステップとを含む。これにより、ユーザがアラームリマインドをタイムリーに受信でき、イベントの遅延又は忘れを避ける効果を奏する。【選択図】図２
2016518786.tif 000002
【特許請求の範囲】
【請求項１】
同時に少なくとも二つのクライアント端末にイベントリマインドサービスを提供するアラームチャネルからリマインドイベントを取得するステップと、
前記アラームチャネルにおける、当該アラームチャネルを購読した各クライアント端末が含まれる購読リストを取得するステップと、
前記各クライアント端末が前記リマインドイベントに基づきイベントリマインドを発信するように指示するための前記リマインドイベントを、前記購読リストにおける各クライアント端末に送信するステップと、
を含むことを特徴とするイベントリマインド方法。
【請求項２】
前記リマインドイベントを前記購読リストにおける各クライアント端末に送信するステップは、
リマインドのタイミングとリマインドの内容を含む前記リマインドイベントを、前記各クライアント端末に送信するステップを含む
ことを特徴とする請求項１に記載のイベントリマインド方法。
【請求項３】
リマインドのタイミングとリマインドの内容を含む前記リマインドイベントを、前記各クライアント端末に送信するステップは、
前記各クライアント端末に対して、前記クライアント端末と通信するネットワーク条件が予め設定された条件よりよいか否かを検出するステップと、
前記クライアント端末と通信するネットワーク条件が予め設定された条件よりよい場合、リマインドのタイミングと、リマインドの内容と、リマインド方式とを含む前記リマインドイベントを前記クライアント端末に送信するステップとを含み、
前記リマインド方式はリマインド回数、リマインドベル音及びリマインド画面における少なくとも一つを含む
ことを特徴とする請求項２に記載のイベントリマインド方法。
【請求項４】
前記リマインドベル音は、前記リマインドイベントに対応するベル音を含み、
及び/又は、
前記リマインド画面は、前記クライアント端末が前記リマインドイベントに応答するようにガイドする操作の入口を含む
ことを特徴とする請求項３に記載のイベントリマインド方法。
【請求項５】
認証サーバーから送信される前記アラームチャネルを開通するための開通申し込みを受信するステップと、
前記認証サーバーが前記アラームチャネルを開通する権限を有するか否かを検出するステップと、
前記認証サーバーが前記アラームチャネルを開通する権限を有する場合、前記アラームチャネルを開通し、開通成功情報を前記認証サーバーに戻すステップと、
をさらに含むことを特徴とする請求項１に記載のイベントリマインド方法。
【請求項６】
第１クライアント端末から送信される前記アラームチャネルを購読するための購読要求を受信するステップと、
前記第１クライアント端末が前記アラームチャネルを購読する購読権限を有するか否かを検出するステップと、
前記第１クライアント端末が前記アラームチャネルを購読する購読権限を有する場合、前記第１クライアント端末を前記購読リストに追加し、購読成功情報を前記第１クライアント端末に戻すステップと、
をさらに含むことを特徴とする請求項１に記載のイベントリマインド方法。
【請求項７】
前記第１クライアント端末が前記アラームチャネルを購読する購読権限を有するか否かを検出するステップは、
前記第１クライアント端末の身元IDを前記アラームチャネルと対応する認証サーバーに送信するステップと、
前記認証サーバーが前記身元IDに基づき前記第１クライアント端末に対して認証を行って認証成功された場合、前記認証サーバーから戻される認証成功情報を受信するステップと、をさらに含み、
認証成功情報は前記第１クライアント端末が前記アラームチャネルを購読する購読権限を有することを意味することを特徴とする請求項６に記載のイベントリマインド方法。
【請求項８】
第２クライアント端末から送信される前記アラームチャネルの購読を取り消すための取消要求を受信するステップと、
前記購読リストにおける前記第２クライアント端末を削除し、取消成功情報を前記第２クライアント端末に戻すステップと、
をさらに含むことを特徴とする請求項１から請求項７のいずれかに記載のイベントリマインド方法。
【請求項９】
同時に少なくとも二つのクライアント端末にイベントリマインドサービスを提供するアラームチャネルにリマインドイベントを作成するステップと、
アラームサーバーに前記リマインドイベントを送信するステップと、
を含み、
前記リマインドイベントは、前記アラームサーバーが前記アラームチャネルの購読リストの各クライアント端末に前記リマインドイベントを転送するよう指示するものであり、前記購読リストは、前記アラームチャネルを購読する各クライアント端末を含み、且つ前記リマインドイベントは、前記各クライアント端末が前記リマインドイベントに基づきイベントリマインドを発信するように指示するものである
ことを特徴とするイベントリマインド方法。
【請求項１０】
前記アラームチャネルにリマインドイベントを作成するステップは、
前記アラームチャネルにリマインドのタイミングと、リマインドの内容と、リマインド方式とを含む前記リマインドイベントを作成するステップを含み、
前記リマインド方式はリマインド回数、リマインドベル音及びリマインド画面における少なくとも一つを含む
ことを特徴とする請求項９に記載のイベントリマインド方法。
【請求項１１】
前記リマインドベル音は、前記リマインドイベントに対応するベル音を含み、
及び/又は、
前記リマインド画面は、前記クライアント端末が前記リマインドイベントに応答するようにガイドする操作の入口を含む
ことを特徴とする請求項１０に記載のイベントリマインド方法。
【請求項１２】
前記アラームチャネルを開通するための開通申し込みを前記アラームサーバーに送信するステップと、
前記アラームサーバーが前記開通申し込みを受信し、前記認証サーバーが前記アラームチャネルを開通する権限を有すると検出され、前記アラームチャネルを開通してから前記アラームサーバーから戻される開通成功情報を受信するステップと、
をさらに含むことを特徴とする請求項９に記載のイベントリマインド方法。
【請求項１３】
前記アラームサーバーから送信される、前記アラームチャネルの購読を要求する第１クライアント端末の身元IDを受信するステップと、
前記身元IDに基づき前記第１クライアント端末に対して認証を行うステップと、
前記第１クライアント端末に対する認証が成功された場合、前記第１クライアント端末が前記アラームチャネルを購読する購読権限を有することを意味する認証成功情報を前記アラームサーバーに戻すステップと、
をさらに含むことを特徴とする請求項９に記載のイベントリマインド方法。
【請求項１４】
アラームサーバーから送信されるリマインドイベントを受信するステップと、
前記リマインドイベントに基づきイベントリマインドを発信するステップとを含み、
前記リマインドイベントは、同時に少なくとも二つのクライアント端末にイベントリマインドサービスを提供するアラームチャネルから前記アラームサーバーによって取得されるリマインドイベントであり、前記アラームチャネルにおける、前記アラームチャネルを購読する各クライアント端末を含む購読リストを取得してから、前記購読リストにおける各クライアント端末に送信されるリマインドイベントである、
ことを特徴とするイベントリマインド方法。
【請求項１５】
前記アラームチャネルを購読するための購読要求を前記アラームサーバーに送信するステップと、
前記アラームサーバーから戻される購読成功情報を受信するステップと
をさらに含むことを特徴とする請求項１４に記載のイベントリマインド方法。
【請求項１６】
前記アラームチャネルの購読を取り消すための取消要求を前記アラームサーバーに送信するステップと、
前記アラームサーバーから戻される取消成功情報を受信するステップと、
をさらに含むことを特徴とする請求項１４に記載のイベントリマインド方法。
【請求項１７】
同時に少なくとも二つのクライアント端末にイベントリマインドサービスを提供するアラームチャネルにおけるリマインドイベントを取得するイベント取得モジュールと、
前記アラームチャネルにおける、前記アラームチャネルを購読した各クライアント端末が含まれる購読リストを取得するリスト取得モジュールと、
前記イベント取得モジュールが取得した、前記各クライアント端末が前記リマインドイベントに基づきイベントリマインドを発信するように指示するための前記リマインドイベントを、前記リスト取得モジュールが取得した前記購読リストにおける各クライアント端末に送信するイベント送信モジュールと、
を備えることを特徴とするイベントリマインド装置。
【請求項１８】
前記イベント送信モジュールは、リマインドのタイミングと、リマインドの内容を含む前記リマインドイベントを前記各クライアント端末に送信する
ことを特徴とする請求項１７に記載のイベントリマインド装置。
【請求項１９】
前記イベント送信モジュールは、
前記各クライアント端末に対して、前記クライアント端末と通信するネットワーク条件が予め設定された条件よりよいか否かを検出するネットワーク条件検出ユニットと、
前記ネットワーク条件検出ユニットが検出した結果、前記クライアント端末と通信するネットワーク条件が前記予め設定された条件よりよい場合、リマインドのタイミングと、リマインドの内容と、リマインド方式とを含む前記リマインドイベントを前記クライアント端末に送信するイベント送信ユニットとを備え、
前記リマインド方式は、リマインド回数、リマインドベル音及びリマインド画面における少なくとも一つを含むことを特徴とする請求項１８に記載のイベントリマインド装置。
【請求項２０】
前記リマインドベル音は、前記リマインドイベントに対応するベル音を含み、
及び/又は、
前記リマインド画面は、前記クライアント端末が前記リマインドイベントに応答するようにガイドする操作の入口を含む
ことを特徴とする請求項１９に記載のイベントリマインド装置。
【請求項２１】
認証サーバーから送信される前記アラームチャネルを開通するための開通申し込みを受信する開通申し込み受信モジュールと、
前記認証サーバーが前記アラームチャネルを開通する権限を有するか否かを検出する第１検出モジュールと、
前記第１検出モジュールが検出した結果、前記認証サーバーが前記アラームチャネルを開通する権限を有する場合、前記アラームチャネルを開通し、開通成功情報を前記認証サーバーに戻すチャネル開通モジュールと、
をさらに備えることを特徴とする請求項１７に記載のイベントリマインド装置。
【請求項２２】
第１クライアント端末から送信される前記アラームチャネルを購読するための購読要求を受信する購読要求受信モジュールと、
前記第１クライアント端末が前記アラームチャネルを購読する購読権限を有するか否かを検出する第２検出モジュールと、
前記第２検出モジュールが検出した結果、前記第１クライアント端末が前記アラームチャネルを購読する購読権限を有する場合、前記第１クライアント端末を前記購読リストに追加し、購読成功情報を前記第１クライアント端末に戻すクライアント端末追加モジュールと、
をさらに備えることを特徴とする請求項１７に記載のイベントリマインド装置。
【請求項２３】
前記第２検出モジュールは、
前記第１クライアント端末の身元IDを前記アラームチャネルに対応する認証サーバーに送信するID送信ユニットと、
前記認証サーバーが前記身元IDに基づいて前記第１クライアント端末に対して認証を行って認証後に、前記認証サーバーから戻される認証成功情報を受信する情報受信ユニットと、を備え、
前記認証成功情報は、前記第１クライアント端末が前記アラームチャネルを購読する購読権限を有することを意味することを特徴とする請求項２２に記載のイベントリマインド装置。
【請求項２４】
第２クライアント端末から送信される前記アラームチャネルの購読を取り消すための取消要求を受信する取消要求受信モジュールと、
前記購読リストにおける前記第２クライアント端末を削除し、取消成功情報を前記第２クライアント端末に戻すクライアント端末削除モジュールと、
をさらに備えることを特徴とする請求項１７から請求項２３のいずれかに記載のイベントリマインド装置。
【請求項２５】
同時に少なくとも二つのクライアント端末にイベントリマインドサービスを提供するアラームチャネルにリマインドイベントを作成するイベント作成モジュールと、
前記イベント作成モジュールが作成した前記リマインドイベントをアラームサーバーに送信するイベント送信モジュールとを備え、
前記リマインドイベントは、前記アラームサーバーが前記リマインドイベントを、前記アラームチャネルの購読リストにおける各クライアント端末に転送するように指示するためのものであり、前記購読リストは、前記アラームチャネルを購読した各クライアント端末を含み、且つ前記リマインドイベントは、前記各クライアント端末が前記リマインドイベントに基づきイベントリマインドを発信するように指示するためのものである
ことを特徴とするイベントリマインド装置。
【請求項２６】
前記イベント作成モジュールは、前記アラームチャネルに、リマインドのタイミングと、リマインドの内容と、リマインド方式とを含む前記リマインドイベントを作成し、前記リマインド方式は、リマインド回数と、リマインドベル音と、リマインド画面とにおける少なくとも一つを含む
ことを特徴とする請求項２５に記載のイベントリマインド装置。
【請求項２７】
前記リマインドベル音は、前記リマインドイベントに対応するベル音を含み、
及び/又は、
前記リマインド画面は、前記クライアント端末が前記リマインドイベントに応答するようにガイドする操作の入口を含む
ことを特徴とする請求項２６に記載のイベントリマインド装置。
【請求項２８】
前記アラームチャネルを開通するための開通申し込みを前記アラームサーバーに送信する開通申し込み送信モジュールと、
前記アラームサーバーが前記開通申し込みを受信し、前記認証サーバーが前記アラームチャネルを開通する権限を有すると検出され、前記アラームチャネルを開通してから前記アラームサーバーから戻される開通成功情報を受信する情報受信モジュールと、
をさらに備えることを特徴とする請求項２５に記載のイベントリマインド装置。
【請求項２９】
前記アラームサーバーから送信される、前記アラームチャネルの購読を要求する第１クライアント端末の身元IDを受信するID受信モジュールと、
前記ID受信モジュールが受信した前記身元IDに基づいて、前記第１クライアント端末に対して認証を行うクライアント端末認証モジュールと、
前記クライアント端末認証モジュールの前記第１クライアント端末に対する認証が成功された場合に、前記第１クライアント端末が前記アラームチャネルを購読する購読権限を有することを意味する認証成功情報を前記アラームサーバーに戻す情報戻しモジュールと、
をさらに備えることを特徴とする請求項２５に記載のイベントリマインド装置。
【請求項３０】
アラームサーバーから送信されるリマインドイベントを受信するイベント受信モジュールと、
前記リマインドイベントに基づきイベントリマインドを発信するリマインド発信モジュールとを備え、
前記リマインドイベントは、同時に少なくとも二つのクライアント端末にイベントリマインドサービスを提供するアラームチャネルから前記アラームサーバーによって取得されるリマインドイベントであり、前記アラームチャネルにおける、前記アラームチャネルを購読する各クライアント端末を含む購読リストを取得してから、前記購読リストにおける各クライアント端末に送信されるリマインドイベントである
ことを特徴とするイベントリマインド装置。
【請求項３１】
前記アラームチャネルを購読するための購読要求を前記アラームサーバーに送信する購読要求送信モジュールと、
前記アラームサーバーから戻される購読成功情報を受信する第１受信モジュールと、
をさらに備えることを特徴とする請求項３０に記載のイベントリマインド装置。
【請求項３２】
前記アラームチャネルの購読を取り消すための取消要求を前記アラームサーバーに送信する取消要求送信モジュールと、
前記アラームサーバーから戻される取消成功情報を受信する第２受信モジュールとを、
をさらに備えることを特徴とする請求項３０に記載のイベントリマインド装置。
【請求項３３】
有線又は無線ネットワークを介して認証サーバーとクライアント端末と接続され、請求項１７から請求項２４のいずれかに記載のイベントリマインド装置を含むアラームサーバーと、
有線又は無線ネットワークを介して前記アラームサーバーと接続され、請求項２５から請求項２９の何れかに記載のイベントリマインド装置を含む認証サーバーと、
有線又は無線ネットワークを介して前記アラームサーバーと接続され、請求項３０から請求項３２の何れかに記載のイベントリマインド装置を含むクライアント端末と、
を備えることを特徴とするイベントリマインドシステム。
【発明の詳細な説明】
【技術分野】
【０００１】
本発明は、インターネット技術分野に関わり、特にイベントリマインド方法、装置及びシステムに関わる。
【背景技術】
【０００２】
ユーザの生活リズムが速くなることに伴い、ユーザが毎日処理すべき事件が多くなってきた。従って、ユーザにリマインド機能を提供できるアラームは、だんだん端末における極めて重要な機能の一つになってきた。
【０００３】
実際の適用において、ユーザはアラームを設定することにより、事件をタイムリー(適時に)処理するよう自分にリマインドすることができる。例えば、ユーザは、午後三時に会議がある場合、アラームを「２:４０」に設定することにより定刻に参加できるようにリマインドし、正常に出勤する必要がある場合、朝起きるためのアラームを設定することによりタイムリーに起きられるよう自分にリマインドすることができる。
【０００４】
本発明が完成する過程において、関連技術に少なくとも以下の問題が存在することに気づいた。
【０００５】
例えば、ユーザの会社からある日に正常より１時間早く出勤するように要求された場合等のような特殊事情には、ユーザが前に設定した起きるためのアラームはもはや適用されない。この場合、タイムリーに出勤するために、ユーザはアラームの設定を変更する必要があり、ユーザがアラームの設定を変更することを忘れてしまう場合、ユーザはタイムリーなアラームリマインドを受信することができなくなり、関連事件を遅延処理したり、さらに処理を忘れてしまうことになる。
【発明の概要】
【０００６】
関連技術において、個別的なイベントが発生した場合に、ユーザが個別的なイベントに対してアラーム設定する必要があり、アラームの設定を忘れてしまって重要なイベントを逃がしてしまい、イベントの通知の発行が遅すぎユーザがイベントリマインドを設定することに間に合わなくなる等の問題を解決するために、本発明は、イベントリマインド方法、装置及びシステムを提供する。この技術的解決策は、以下のようだ。
【０００７】
本発明の実施形態の第１局面において、同時に少なくとも二つのクライアント端末にイベントリマインドサービスを提供するアラームチャネルからリマインドイベントを取得するステップと、前記アラームチャネルにおける、当該アラームチャネルを購読した各クライアント端末が含まれる購読リストを取得するステップと、前記各クライアント端末が前記リマインドイベントに基づきイベントリマインドを発信するように指示するための前記リマインドイベントを、前記購読リストにおける各クライアント端末に送信するステップと、を含むことを特徴とするイベントリマインド方法を提供する。
【０００８】
好ましくは、前記リマインドイベントを前記購読リストにおける各クライアント端末に送信するステップは、リマインドのタイミングとリマインドの内容を含む前記リマインドイベントを、前記各クライアント端末に送信する。
【０００９】
好ましくは、リマインドのタイミングとリマインドの内容を含む前記リマインドイベントを、前記各クライアント端末に送信するステップは、前記各クライアント端末に対して、前記クライアント端末と通信するネットワーク条件が予め設定された条件よりよいか否かを検出するステップと、前記クライアント端末と通信するネットワーク条件が予め設定された条件よりよい場合、リマインドのタイミングと、リマインドの内容と、リマインド方式とを含む前記リマインドイベントを前記クライアント端末に送信するステップとを含み、前記リマインド方式はリマインド回数、リマインドベル音及びリマインド画面における少なくとも一つを含む。
【００１０】
好ましくは、前記リマインドベル音は、前記リマインドイベントに対応するベル音を含み、及び/又は、前記リマインド画面は、前記クライアント端末が前記リマインドイベントに応答するようにガイドする操作の入口を含む。
【００１１】
好ましくは、認証サーバーから送信される前記アラームチャネルを開通するための開通申し込みを受信するステップと、前記認証サーバーが前記アラームチャネルを開通する権限を有するか否かを検出するステップと、前記認証サーバーが前記アラームチャネルを開通する権限を有する場合、前記アラームチャネルを開通し、開通成功情報を前記認証サーバーに戻すステップと、をさらに含む。
【００１２】
好ましくは、第１クライアント端末から送信される前記アラームチャネルを購読するための購読要求を受信するステップと、前記第１クライアント端末が前記アラームチャネルを購読する購読権限を有するか否かを検出するステップと、前記第１クライアント端末が前記アラームチャネルを購読する購読権限を有する場合、前記第１クライアント端末を前記購読リストに追加し、購読成功情報を前記第１クライアント端末に戻すステップと、をさらに含む。
【００１３】
好ましくは、前記第１クライアント端末が前記アラームチャネルを購読する購読権限を有するか否かを検出するステップは、前記第１クライアント端末の身元IDを前記アラームチャネルと対応する認証サーバーに送信するステップと、前記認証サーバーが前記身元IDに基づき前記第１クライアント端末に対して認証を行って認証成功された場合、前記認証サーバーから戻される認証成功情報を受信するステップと、をさらに含み、認証成功情報は前記第１クライアント端末が前記アラームチャネルを購読する購読権限を有することを意味する。
【００１４】
好ましくは、第２クライアント端末から送信される前記アラームチャネルの購読を取り消すための取消要求を受信するステップと、前記購読リストにおける前記第２クライアント端末を削除し、取消成功情報を前記第２クライアント端末に戻すステップと、をさらに含む。
【００１５】
本発明の実施例の第２局面において、同時に少なくとも二つのクライアント端末にイベントリマインドサービスを提供するアラームチャネルにリマインドイベントを作成するステップと、アラームサーバーに前記リマインドイベントを送信するステップと、を含み、前記リマインドイベントは、前記アラームサーバーが前記アラームチャネルの購読リストの各クライアント端末に前記リマインドイベントを転送するよう指示するものであり、前記購読リストは、前記アラームチャネルを購読する各クライアント端末を含み、且つ前記リマインドイベントは、前記各クライアント端末が前記リマインドイベントに基づきイベントリマインドを発信するように指示するものであることを特徴とするイベントリマインド方法を提供する。
【００１６】
好ましくは、前記アラームチャネルにリマインドイベントを作成するステップは、前記アラームチャネルにリマインドのタイミングと、リマインドの内容と、リマインド方式とを含む前記リマインドイベントを作成するステップを含み、前記リマインド方式はリマインド回数、リマインドベル音及びリマインド画面における少なくとも一つを含む。
【００１７】
好ましくは、前記リマインドベル音は、前記リマインドイベントに対応するベル音を含み、及び/又は、前記リマインド画面は、前記クライアント端末が前記リマインドイベントに応答するようにガイドする操作の入口を含む。
【００１８】
好ましくは、前記アラームチャネルを開通するための開通申し込みを前記アラームサーバーに送信するステップと、前記アラームサーバーが前記開通申し込みを受信し、前記認証サーバーが前記アラームチャネルを開通する権限を有すると検出され、前記アラームチャネルを開通してから前記アラームサーバーから戻される開通成功情報を受信するステップと、をさらに含む。
【００１９】
好ましくは、前記アラームサーバーから送信される、前記アラームチャネルの購読を要求する第１クライアント端末の身元IDを受信するステップと、前記身元IDに基づき前記第１クライアント端末に対して認証を行うステップと、前記第１クライアント端末に対する認証が成功された場合、前記第１クライアント端末が前記アラームチャネルを購読する購読権限を有することを意味する認証成功情報を前記アラームサーバーに戻すステップと、をさらに含む。
【００２０】
本発明の実施例の第３局面において、アラームサーバーから送信されるリマインドイベントを受信するステップと、前記リマインドイベントに基づきイベントリマインドを発信するステップとを含み、前記リマインドイベントは、同時に少なくとも二つのクライアント端末にイベントリマインドサービスを提供するアラームチャネルから前記アラームサーバーによって取得されるリマインドイベントであり、前記アラームチャネルにおける、前記アラームチャネルを購読する各クライアント端末を含む購読リストを取得してから、前記購読リストにおける各クライアント端末に送信されるリマインドイベントである、ことを特徴とするイベントリマインド方法を提供する。
【００２１】
好ましくは、前記アラームチャネルを購読するための購読要求を前記アラームサーバーに送信するステップと、前記アラームサーバーから戻される購読成功情報を受信するステップと、をさらに含む。
【００２２】
好ましくは、前記アラームチャネルの購読を取り消すための取消要求を前記アラームサーバーに送信するステップと、前記アラームサーバーから戻される取消成功情報を受信するステップと、をさらに含む。
【００２３】
本発明の実施例の第４局面において、同時に少なくとも二つのクライアント端末にイベントリマインドサービスを提供するアラームチャネルにおけるリマインドイベントを取得するイベント取得モジュールと、前記アラームチャネルにおける、前記アラームチャネルを購読した各クライアント端末が含まれる購読リストを取得するリスト取得モジュールと、前記イベント取得モジュールが取得した、前記各クライアント端末が前記リマインドイベントに基づきイベントリマインドを発信するように指示するための前記リマインドイベントを、前記リスト取得モジュールが取得した前記購読リストにおける各クライアント端末に送信するイベント送信モジュールと、を備えることを特徴とするイベントリマインド装置を提供する。
【００２４】
好ましくは、前記イベント送信モジュールは、リマインドのタイミングと、リマインドの内容を含む前記リマインドイベントを前記各クライアント端末に送信する。
【００２５】
好ましくは、前記イベント送信モジュールは、前記各クライアント端末に対して、前記クライアント端末と通信するネットワーク条件が予め設置設定された条件よりよいか否かを検出するネットワーク条件検出ユニットと、前記ネットワーク条件検出ユニットが検出した結果、前記クライアント端末と通信するネットワーク条件が前記予め設定された条件よりよい場合、リマインドのタイミングと、リマインドの内容と、リマインド方式とを含む前記リマインドイベントを前記クライアント端末に送信するイベント送信ユニットとを備え、前記リマインド方式は、リマインド回数、リマインドベル音及びリマインド画面における少なくとも一つを含む。
【００２６】
好ましくは、前記リマインドベル音は、前記リマインドイベントに対応するベル音を含み、及び/又は、前記リマインド画面は、前記クライアント端末が前記リマインドイベントに応答するようにガイドする操作の入口を含む。
【００２７】
好ましくは、認証サーバーから送信される前記アラームチャネルを開通するための開通申し込みを受信する開通申し込み受信モジュールと、前記認証サーバーが前記アラームチャネルを開通する権限を有するか否かを検出する第１検出モジュールと、前記第１検出モジュールが検出した結果、前記認証サーバーが前記アラームチャネルを開通する権限を有する場合、前記アラームチャネルを開通し、開通成功情報を前記認証サーバーに戻すチャネル開通モジュールと、をさらに備える。
【００２８】
好ましくは、第１クライアント端末から送信される前記アラームチャネルを購読するための購読要求を受信する購読要求受信モジュールと、前記第１クライアント端末が前記アラームチャネルを購読する購読権限を有するか否かを検出する第２検出モジュールと、前記第２検出モジュールが検出した結果、前記第１クライアント端末が前記アラームチャネルを購読する購読権限を有する場合、前記第１クライアント端末を前記購読リストに追加し、購読成功情報を前記第１クライアント端末に戻すクライアント端末追加モジュールと、をさらに備える。
【００２９】
好ましくは、前記第２検出モジュールは、前記第１クライアント端末の身元IDを前記アラームチャネルに対応する認証サーバーに送信するID送信ユニットと、前記認証サーバーが前記身元IDに基づいて前記第１クライアント端末に対して認証を行って認証後に、前記認証サーバーから戻される認証成功情報を受信する情報受信ユニットと、を備え、前記認証成功情報は、前記第１クライアント端末が前記アラームチャネルを購読する購読権限を有することを意味する。
【００３０】
好ましくは、第２クライアント端末から送信される前記アラームチャネルの購読を取り消すための取消要求を受信する取消要求受信モジュールと、前記購読リストにおける前記第２クライアント端末を削除し、取消成功情報を前記第２クライアント端末に戻すクライアント端末削除モジュールと、をさらに備える。
【００３１】
本発明の実施例の第５局面において、同時に少なくとも二つのクライアント端末にイベントリマインドサービスを提供するアラームチャネルにリマインドイベントを作成するイベント作成モジュールと、前記イベント作成モジュールが作成した前記リマインドイベントをアラームサーバーに送信するイベント送信モジュールとを備え、前記リマインドイベントは、前記アラームサーバーが前記リマインドイベントを、前記アラームチャネルの購読リストにおける各クライアント端末に転送するように指示するためのものであり、前記購読リストは、前記アラームチャネルを購読した各クライアント端末を含み、且つ前記リマインドイベントは、前記各クライアント端末が前記リマインドイベントに基づきイベントリマインドを発信するように指示するためのものであることを特徴とするイベントリマインド装置を提供する。
【００３２】
好ましくは、前記イベント作成モジュールは、前記アラームチャネルに、リマインドのタイミングと、リマインドの内容と、リマインド方式とを含む前記リマインドイベントを作成し、前記リマインド方式は、リマインド回数と、リマインドベル音と、リマインド画面とにおける少なくとも一つを含む。
【００３３】
好ましくは、前記リマインドベル音は、前記リマインドイベントに対応するベル音を含み、及び/又は、前記リマインド画面は、前記クライアント端末が前記リマインドイベントに応答するようにガイドする操作の入口を含む。
【００３４】
好ましくは、前記アラームチャネルを開通するための開通申し込みを前記アラームサーバーに送信する開通申し込み送信モジュールと、前記アラームサーバーが前記開通申し込みを受信し、前記認証サーバーが前記アラームチャネルを開通する権限を有すると検出され、前記アラームチャネルを開通してから前記アラームサーバーから戻される開通成功情報を受信する情報受信モジュールと、をさらに備える。
【００３５】
好ましくは、前記アラームサーバーから送信される、前記アラームチャネルの購読を要求する第１クライアント端末の身元IDを受信するID受信モジュールと、前記ID受信モジュールが受信した前記身元IDに基づいて、前記第１クライアント端末に対して認証を行うクライアント端末認証モジュールと、前記クライアント端末認証モジュールの前記第１クライアント端末に対する認証が成功された場合に、前記第１クライアント端末が前記アラームチャネルを購読する購読権限を有することを意味する認証成功情報を前記アラームサーバーに戻す情報戻しモジュールと、をさらに備える。
【００３６】
本発明の実施例の第６局面において、アラームサーバーから送信されるリマインドイベントを受信するイベント受信モジュールと、前記リマインドイベントに基づきイベントリマインドを発信するリマインド発信モジュールとを備え、前記リマインドイベントは、同時に少なくとも二つのクライアント端末にイベントリマインドサービスを提供するアラームチャネルから前記アラームサーバーによって取得されるリマインドイベントであり、前記アラームチャネルにおける、前記アラームチャネルを購読する各クライアント端末を含む購読リストを取得してから、前記購読リストにおける各クライアント端末に送信されるリマインドイベントであることを特徴とするイベントリマインド装置を提供する。
【００３７】
好ましくは、前記アラームチャネルを購読するための購読要求を前記アラームサーバーに送信する購読要求送信モジュールと、前記アラームサーバーから戻される購読成功情報を受信する第１受信モジュールと、をさらに備える。
【００３８】
好ましくは、前記アラームチャネルの購読を取り消すための取消要求を前記アラームサーバーに送信する取消要求送信モジュールと、前記アラームサーバーから戻される取消成功情報を受信する第２受信モジュールとを、をさらに備える。
【００３９】
本発明の実施例の第７局面において、有線又は無線ネットワークを介して認証サーバーとクライアント端末と接続され、前記第４局面およびその様々な実施形態のイベントリマインド装置を含むアラームサーバーと、有線又は無線ネットワークを介して前記アラームサーバーと接続され、前記第５局面およびその様々な実施形態のイベントリマインド装置を含む認証サーバーと、有線又は無線ネットワークを介して前記アラームサーバーと接続され、前記第６局面およびその様々な実施形態のイベントリマインド装置を含むクライアント端末と、を備えることを特徴とするイベントリマインドシステムを提供する。
【００４０】
本願の実施例が提供する技術的解決策は、以下のような有利な効果がある。
【００４１】
同時に少なくとも二つのクライアント端末にイベントリマインドサービスを提供するアラームチャネルにおけるリマインドイベントを取得し、アラームチャネルの、アラームチャネルを購読した各クライアント端末が含まれる購読リストを取得し、さらに、各クライアント端末がリマインドイベントに基づくイベントリマインドを発信するように指示することに使用されるリマインドイベントを、購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００４２】
以上の一般的な記載と後の詳細な記載は、単に例示的なもので、本発明を限定するものではない。
【図面の簡単な説明】
【００４３】
ここで示す図面は明細書に組み込まれ明細書の一部として構成し、本発明に適合される実施例を示し、明細書とともに本発明の原理の解釈に用いられる。
【００４４】
【図１】一部の例示的な実施例に示されるイベントリマインド方法に係る実施環境の模式図である。
【図２】例示的な実施例に示されるイベントリマインド方法のフローチャートである。
【図３】他の例示的な実施例に示されるイベントリマインド方法のフローチャートである。
【図４】また他の例示的な実施例に示されるイベントリマインド方法のフローチャートである。
【図５】また他の例示的な実施例に示されるイベントリマインド方法のフローチャートである。
【図６Ａ】また他の例示的な実施例に示されるイベントリマインド方法のフローチャートである。
【図６Ｂ】また他の例示的な実施例に示される認証サーバーがアラームチャネルを開通することを要求する際の表示模式図である。
【図６Ｃ】また他の例示的な実施例に示されるクライアント端末におけるアラームがリマインダーを行う際の表示模式図である。
【図６Ｄ】また他の例示的な実施例に示されるイベントリマインド方法のフローチャートである。
【図６Ｅ】また他の例示的な実施例に示されるクライアント端末がアラームチャネルの購読を要求する際の表示模式図である。
【図６Ｆ】また他の例示的な実施例に示されるイベントリマインド方法のフローチャートである。
【図６Ｇ】また他の例示的な実施例に示されるクライアント端末がアラームチャネルの購読を取り消す際の表示模式図である。
【図７】例示的な実施例に示されるイベントリマインド装置の模式図である。
【図８】他の例示的な実施例に示されるイベントリマインド装置の模式図である。
【図９】例示的な実施例に示されるイベントリマインド装置の模式図である。
【図１０】他の例示的な実施例に示されるイベントリマインド装置の模式図である。
【図１１】例示的な実施例に示されるイベントリマインド装置の模式図である。
【図１２】他の例示的な実施例に示されるイベントリマインド装置の模式図である。
【図１３】例示的な実施例に示されるサーバーの模式図である。
【図１４】例示的な実施例に示されるイベントリマインドに用いられる装置の模式図である。
【発明を実施するための形態】
【００４５】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００４６】
図１は、一部の例示的な実施例に示されるイベントリマインド方法に係る実施環境の模式図である。図１に示すように、この実施環境は、認証サーバー１１０と、アラームサーバー１２０と、クライアント端末１３０とを含んでよい。
【００４７】
認証サーバー１１０は、有線又は無線ネットワークを介してアラームサーバー１２０に接続され、さらに、アラームサーバー１２０にアラームチャネルを作成することを要求し、アラームチャネルにおけるリマインドイベントをアラームサーバー１２０に送信する。実際に実現する際に、認証サーバーは、アラームチャネルを購読する各クライアント端末について身元の認証を行う。
【００４８】
アラームサーバー１２０は、有線又は無線ネットワークを介してそれぞれ認証サーバー１１０及びクライアント端末１３０に接続される。アラームサーバー１２０は、認証サーバー１１０から要求されたアラームチャネルを作成し、アラームチャネルにおけるリマインドイベントをこのアラームチャネルを購読した各クライアント端末１３０に送信する。
【００４９】
クライアント端末１３０は、端末において実行される、アラームサービスのプロバイダーから提供されるクライアント端末であり、このクライアント端末１３０は、アラームサーバーから送信された自分が購読したアラームチャネルにおけるリマインドイベントを受信する。
【００５０】
図２は、例示的な実施例に示されるイベントリマインド方法のフローチャートである。図２に示すように、このイベントリマインド方法は、図１に示される実施環境におけるアラームサーバー１２０に用いられ、このイベントリマインド方法は以下のステップを含むことができる。
【００５１】
ステップ２０１で、アラームチャネルにおけるリマインドイベントを取得する。
【００５２】
ここで、アラームチャネルは、同時に少なくとも二つのクライアント端末にイベントリマインドサービスを提供する。
【００５３】
ステップ２０２で、アラームチャネルの購読リストを取得する。
【００５４】
ここで、購読リストには、アラームチャネルを購読する各クライアント端末が含まれる。
【００５５】
ステップ２０３で、リマインドイベントを購読リストにおける各クライアント端末に送信する。
【００５６】
ここで、リマインドイベントは、各クライアント端末がリマインドイベントに基づくイベントリマインドを発信するように指示することに使用される。
【００５７】
前記のように、本実施例に提供されるイベントリマインド方法において、同時に少なくとも二つのクライアント端末にイベントリマインドサービスを提供するアラームチャネルにおけるリマインドイベントを取得し、アラームチャネルにおける、アラームチャネルを購読した各クライアント端末が含まれる購読リストを取得し、さらに、各クライアント端末がリマインドイベントに基づくイベントリマインドを発信するように指示するためのリマインドイベントを、購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００５８】
図３は、他の例示的な実施例に示されるイベントリマインド方法のフローチャートである。図３に示すように、このイベントリマインド方法は図１に示される実施環境における認証サーバー１１０に用いられ、このイベントリマインド方法は、以下のステップを含むことができる。
【００５９】
ステップ３０１で、アラームチャネルにリマインドイベントを作成する。
ここで、アラームチャネルは、同時に少なくとも二つのクライアント端末にイベントリマインドサービスを提供する。
【００６０】
ステップ３０２で、リマインドイベントをアラームサーバーに送信し、リマインドイベントは、アラームサーバーがリマインドイベントをアラームチャネルの購読リストにおける各クライアント端末に転送するように指示することに使用される。
【００６１】
ここで、購読リストには、アラームチャネルを購読する各クライアント端末が含まれ、リマインドイベントは、各クライアント端末がリマインドイベントに基づくイベントリマインドを発信するように指示することに使用される。
【００６２】
前記のように、本実施例に提供されるイベントリマインド方法において、同時に少なくとも二つのクライアント端末にイベントリマインドサービスを提供するアラームチャネルにリマインドイベントを作成し、アラームサーバーがリマインドイベントをアラームチャネルの購読リストにおける各クライアント端末に転送するように指示するためのリマインドイベントをアラームサーバーに送信し、購読リストは、アラームチャネルを購読する各クライアント端末を含み、リマインドイベントは、各クライアント端末がリマインドイベントに基づくイベントリマインドを発信するように指示することに使用される。従って、関連技術において、ユーザが個別的なイベントに対してアラームを設定する必要があり、アラーム設定を忘れてしまって重要な仕事を逃がしてしまい、イベント通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００６３】
図４は、また他の例示的な実施例に示されるイベントリマインド方法のフローチャートであり、図３に示すように、このイベントリマインド方法は、図１に示される実施環境におけるクライアント端末１３０に用いられ、このイベントリマインド方法は以下のステップを含んむことができる。
【００６４】
ステップ４０１で、アラームサーバーから送信されるリマインドイベントを受信する。
【００６５】
ここで、リマインドイベントは、アラームチャネルにおける、アラームサーバーによって取得されるリマインドイベントであり、かつアラームチャネルの購読リストを取得してから購読リストにおける各クライアント端末に送信されるイベントである。アラームチャネルは、同時に少なくとも二つのクライアント端末にイベントリマインドサービスを提供する。購読リストには、アラームチャネルを購読する各クライアント端末が含まれる。
【００６６】
ステップ４０２で、リマインドイベントに基づいてイベントリマインドを発信する。
【００６７】
前記のように、本実施例に提供されるイベントリマインド方法は、アラームサーバーから送信されるリマインドイベントを受信し、リマインドイベントに基づいてイベントリマインドを発信する。リマインドイベントは、アラームチャネルにおける、アラームサーバーによって取得されるリマインドイベントであり、かつアラームチャネルの購読リストを取得してから購読リストにおける各クライアント端末に送信されるイベントであり、アラームチャネルは、同時に少なくとも二つのクライアント端末にイベントリマインドサービスを提供し、購読リストには、アラームチャネルを購読する各クライアント端末が含まれる。従って、関連技術において、ユーザが個別的なイベントに対してアラームを設定する必要があり、アラーム設定を忘れてしまって重要な仕事を逃がしてしまい、イベント通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００６８】
図５は、また他の例示的な実施例に示されるイベントリマインド方法のフローチャートであり、図５に示すように、このイベントリマインド方法は図１に示される実施環境に用いられ、このイベントリマインド方法は以下のステップを含むことができる。
【００６９】
ステップ５０１で、認証サーバーは、アラームチャネルにリマインドイベントを作成する。
【００７０】
認証サーバーは、自身のアラームチャネルにリマインドイベントが作成できる。ここで、リマインドイベントは、リマインドのタイミングと、リマインドの内容を含み、アラームチャネルは、同時に少なくとも二つのクライアント端末にイベントリマインドサービスを提供する。
【００７１】
例えば、ある会社の正常な出勤時間は朝の１０時であり、３月１８日に特別な情況があって社員が朝８時３０分に出勤することを要求する場合、社員が定刻に出勤するようにリマインドするために、会社の管理者は会社のアラームチャネルに３月１８日に朝８時３０分に出勤するリマインドイベントが作成できる。
【００７２】
ステップ５０２で、認証サーバーはリマインドイベントをアラームサーバーに送信する。
【００７３】
ここで、リマインドイベントは、アラームサーバーがリマインドイベントをアラームチャネルの購読リストにおける各クライアント端末に転送するように指示すること使用され、購読リストは、アラームチャネルを購読する各クライアント端末を含む。
【００７４】
ステップ５０３で、アラームサーバーは、アラームチャネルにおけるリマインドイベントを取得する。
【００７５】
ステップ５０４で、アラームサーバーは、アラームチャネルの購読リストを取得する。
【００７６】
アラームサーバーが、アラームチャネルにおけるリマインドイベントを取得してから、アラームサーバーはアラームチャネルの購読リストが取得できる。実際の実現において、アラームサーバーは、リマインドイベントにおけるアラームチャネルのチャネルIＤに基づいて、このアラームチャネルを購読した購読リストが取得できる。
【００７７】
例えば、アラームチャネルはある会社のアラームチャネルであり、アラームサーバーは、このアラームチャネルのチャネルIＤに基づいて、このアラームチャネルを購読した会社の全部メンバーの含まれるメンバーリストが取得できる。
【００７８】
ステップ５０５で、アラームサーバーは、リマインドイベントを購読リストにおける各クライアント端末に送信する。
【００７９】
アラームサーバーは、購読リストを取得してから、購読リストにおける各クライアント端末に新たなリマインドイベントが存在することを通知し、さらに各クライアント端末にリマインダーを行うために、アラームサーバーはリマインドイベントを購読リストにおける各クライアント端末に送信することができる。ここで、リマインドイベントは、各クライアント端末がリマインドイベントに基づいてイベントリマインドを発信するように指示することに使用される。
【００８０】
ステップ５０６で、各クライアント端末は、アラームサーバーから送信されるリマインドイベントを受信する。
【００８１】
それに対応して、アラームチャネルを購読した各クライアント端末は、アラームサーバーから送信されるリマインドイベントが受信できる。
【００８２】
ステップ５０７で、各クライアント端末は、リマインドイベントに基づいてイベントリマインドを発信する。
【００８３】
クライアント端末は、リマインドイベントを受信した後、リマインドイベントに基づいてイベントリマインドを発信する。例えば、リマインドイベントにおけるリマインドのタイミングが到来すると、クライアント端末は、ベル音又は振動を通じてリマインドを発信する。
【００８４】
実際の実現において、クライアント端末は、使用の必要に応じてリマインドイベントにおけるリマインドのタイミングを選択的に変更する。例えば、社員の用いているクライアント端末が、３月１８日の朝８時３０分に出勤するリマインドイベントを受信した場合、８時３０分に定刻に会社に到着するために、ユーザはリマインドイベントにおけるリマインドのタイミングを朝７時３０分に変更することにより、３月１８日の朝７時３０分になると、クライアント端末のアラームはユーザが早く起きて定刻に出勤するようにリマインドする。
【００８５】
実際の実現において、クライアント端末はリマインドイベントにおけるリマインドのタイミングを変更しなくてもよい。例えば、ある製作社は、最新のドラマ「X夫」のある動画サイトにおける視聴率を高めるために、動画サイトのアラームチャネルを介してリマインドイベントをユーザに送信することにより、ユーザが視聴するようにリマインドすることができ、この動画サイトのアラームチャネルを購読した各クライアント端末は、晩８時に「X夫」の更新があるリマインドイベントを受信して、毎晩８時ごとにクライアント端末には「X夫」の更新があるアラームリマインダーがあって、最新のドラマを速やかに視聴できない問題を回避した。
【００８６】
本実施例の第１の可能な応用のシーンにおいて、会社の管理者は会社のアラームチャネルにリマインドイベントを作成し、アラームサーバーからリマインドイベントを社員に送信して、各社員があるイベントをタイムリー処理するようにリマインドできる。例えば、会社の管理者が、３月２２日の朝９時に会社の前に集合して探春に行くリマインドイベントを作成すると、相応的に、社員はアラームサーバーから送信されるこのリマインドイベントが受信でき、定刻に集合地に到着することができる。
【００８７】
本実施例の第２の可能な応用のシーンにおいて、ドラマの製作社はドラマの視聴率を高めるために、動画サイトのアラームチャネルを介して各クライアント端末にドラマの更新のリマインドを送信し、ユーザが視聴するようにリマインドする。例えば、毎晩８時に「X夫」が２話更新されるリマインドイベントを作成し、アラームサーバーからリマインドイベントを各クライアント端末に送信して、各クライアント端末はリマインドイベントのリマインドによって、最新のドラマが定刻に視聴でき、ユーザが更新のことを知らなくて視聴できなく視聴率が低減されることを回避すると共に、各クライアント端末にリマインドイベントを送信することは、ユーザが速やかに最新のドラマを視聴できない問題を回避し、ユーザの体験を向上させた。
【００８８】
本実施例の第３の可能な応用のシーンにおいて、各旅行者が祝日期間の交通チケットをより便利に手に入れるようにするため、鉄道交通機関はチケット売り関連のリマインドイベントを作成することができる。例えば、鉄道交通機関が「毎日午後３時にチケットを売る」ことのリマインドイベントを作成すると、相応的に、クライアント端末はアラームサーバーから送信されるリマインドイベントを受信し、リマインドイベントのリマインドによって、チケット売りサイトに定刻にアクセスしてチケットを購入することができる。実際の実現において、サイトからチケットを売る際に、多いユーザが同時にサイトをアクセスすることによりシステムがダウンされることを回避するために、クライアント端末はリマインドイベントを受信してから、リマインドイベントにおけるリマインドのタイミングを早めて、変更後のリマインドイベントのリマインドによって、サイトを前倒しアクセスすることができるが、本実施例にてこれに対して限定しない。
【００８９】
本実施例の第４の可能な応用のシーンにおいて、ショッピングサイトはアラームチャネルにリマインドイベントを作成し、アラームサーバーからリマインドイベントを各クライアント端末に送信する。例えば、ショッピングサイトが３月２０日の正午１２時に家電秒殺のイベントを開催する場合、ショッピングサイトの管理者は、アラームチャネルに「３月２０日の正午１２時に家電秒殺」ことのリマインドイベントが作成でき、アラームサーバーからこのリマインドイベントを各クライアント端末に送信し、クライアント端末はリマインドイベントを受信した後、リマインドのタイミングが到来すると、クライアント端末にはアラームリマインドを発して、ユーザが秒殺機会を逃がしてしまう問題を回避した。
【００９０】
ここで、前記いくつかの応用シーンは、単に本実施例の一例であり、実際の実現において、異なる利用の必要に応じて前記リマインドイベントの送信方法を他の応用シーンに適用でき、本実施例は、ここで一々説明しなく、本実施例にてこれに対して限定しない。
【００９１】
前記のように、本実施例に提供されるイベントリマインド方法は、同時に少なくとも二つのクライアント端末にイベントリマインドサービスを提供するアラームチャネルからリマインドイベントを取得し、アラームチャネルを購読する各クライアント端末が含まれるアラームチャネルの購読リストを取得し、各クライアント端末がリマインドイベントに基づいてイベントリマインドを発信するように指示するためのリマインドイベントを購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベント通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００９２】
図６Ａは、例示的な実施例に示されるイベントリマインド方法のフローチャートであり、図６Ａに示すように、このイベントリマインド方法は図１に示される実施環境に用いられ、このイベントリマインド方法は以下のステップを含むことができる。
【００９３】
ステップ６０１で、認証サーバーは、アラームチャネルを開通するための開通申し込みをアラームサーバーに送信する。
【００９４】
認証サーバーは、アラームサーバーが提供するアラームサービスを使用する必要がある場合、アラームチャネルを開通するための開通申し込みをアラームサーバーに送信してもよい。ここで、アラームチャネルは、同時に少なくとも二つのクライアント端末にイベントリマインドサービスを提供する。
【００９５】
実際の実現において、認証サーバーは、アラームサーバーが提供するアラームチャネルの開通申し込み画面をアクセスして、申し込み画面に関連情報を書き込んでから提出ボタンをクリックし、アラームサーバーに開通申し込みを送信する。例えば、認証サーバーは、図６Ｂに示される申し込み画面をアクセスし、申し込み画面に関連情報を入力してから、アラームチャネルを開通するための開通申し込みをアラームサーバーに送信する。
【００９６】
ステップ６０２で、アラームサーバーは認証サーバーから送信されるアラームチャネルを開通するための開通申し込みを受信する。
【００９７】
ステップ６０３で、アラームサーバーは、認証サーバーがアラームチャネルを開通する権限を有するか否かを検出する。
【００９８】
例えば、アラームサーバーは、受信された認証サーバーが提出した申し込み画面における関連情報に対して審査を行い、審査に成功される場合、認証サーバーがアラームチャネルを開通する開通権限を有すると確定し、審査に成功されない場合、認証サーバーがアラームチャネルを開通する開通権限を有していないと確定する。
【００９９】
ここで、アラームサーバーが情報を審査するステップは、申し込み画面に入力されたメールアドレス及びパスワードがマッチングするか否かを検出し、マッチングされると、開通権限を有すると確定し、マッチングされないと、開通権限を有していないと確定する。実際の実現において、アラームサーバーは開通しようとするアラームチャネルの種類が適合するか否かを検出してもよく、本実施例にてこれに対して限定しない。
【０１００】
ここで、本実施例は単に前記の方法を利用してアラームチャネルを開通することを要求する一例に過ぎない、実際の実現において、他の開通方法がある可能性もあり、本実施例にてこれに対して限定しない。本実施例にて、アラームチャネルの開通を申し込むことに必要になる情報の内容に対しても限定しなく、異なる情報の内容に対して、アラームサーバーが認証サーバーに対してアラームチャネルを開通する権限を有するか否かを検出する方法が異ってもよいが、本実施例にてこれに対しても限定しない。
【０１０１】
ステップ６０４で、アラームサーバーが検出した結果、認証サーバーがアラームチャネルを開通する権限を有する場合、アラームチャネルを開通し、開通成功の情報を認証サーバーに戻させる。
【０１０２】
アラームサーバーが検出した結果、認証サーバーがアラームチャネルを開通する権限を有する場合、アラームサーバーはアラームチャネルを開通し、開通成功の情報を認証サーバーに戻させる。実際の実現において、アラームサーバーはアラームチャネルにチャネルIＤを割り当てることにより、このアラームチャネルを認識する。
【０１０３】
アラームサーバーが検出した結果、認証サーバーがアラームチャネルを開通する権限を有していない場合、フローは終了する。
【０１０４】
ステップ６０５で、認証サーバーはアラームサーバーから戻される開通成功情報を受信する。
【０１０５】
ここで、開通成功情報は、アラームサーバーが開通申し込みを受信した後、認証サーバーがアラームチャネルの開通権限を有すると検出され、アラームチャネルを開通してから戻される情報である。
【０１０６】
ステップ６０６で、認証サーバーは、アラームチャネルにリマインドイベントを作成する。
【０１０７】
認証サーバーが開通成功情報を受信した場合、アラームチャネルの開通が成功されたことを意味し、その後認証サーバーはアラームチャネルにリマインドイベントが作成できる。ここで、リマインドイベントは、リマインドのタイミング及びリマインドの内容を含む。
【０１０８】
実際の実現において、認証サーバーがリマインドイベントを作成する方法として、アラームチャネルに、リマインドのタイミングと、リマインドの内容と、リマインド方式とを含むリマインドイベントを作成する方法を含んでもよい。ここで、リマインド方式は、リマインド回数、リマインドベル音及びリマインド画面における少なくとも一つを含む。また、リマインドベル音はアラームサーバーに設定されたデフォルトのベル音であってもよく、リマインドイベントに対応する個性化のベル音であってもよい。例えば、ショッピングサイトにリマインドイベントを作成する場合、作成したリマインドイベントにおけるリマインドベル音はサイトの広告ビデオであってもよい。リマインド画面は、各クライアント端末がリマインドイベントに応答するようにガイドする操作の入口であってもよい。例えば、ショッピングサイトにリマインドイベントを作成する場合、作成したリマインド画面は購入入口又は秒殺（SecKill）入口を含んでもよく、動画サイトにリマインドイベントを作成する場合、作成したリマインド画面は視聴のための入口であってもよい。
【０１０９】
例えば、リマインド方式がリマインド回数と、リマインドベル音と、リマインド画面とを含むことを例として、ショッピングサイトの管理者が認証サーバーを利用して秒殺（SecKill）イベントをリマインドするリマインドイベントを作成する場合、認証サーバーは、リマインドのタイミングが３月２０日の正午１２時であり、リマインドの内容は家電秒殺（SecKill）であり、リマインド方式におけるリマインド回数は３回、リマインドベル音はサイトの広告ビデオであり、リマインド画面は秒殺（SecKill）入口であるリマインドイベントを生成してもよい。
【０１１０】
ステップ６０７で、認証サーバーはリマインドイベントをアラームサーバーに送信する。
【０１１１】
認証サーバーは、リマインドイベントを作成してから、リマインドイベントをアラームサーバーに送信する。ここで、リマインドイベントは、アラームサーバーがリマインドイベントをアラームチャネルの購読リストにおける各クライアント端末に転送するように指示することに使用される。
【０１１２】
ステップ６０８で、アラームサーバーは、アラームチャネルにおけるリマインドイベントを取得する。
【０１１３】
ステップ６０９で、アラームサーバーは、アラームチャネルの購読リストを取得する。
【０１１４】
アラームサーバーは、アラームチャネルにおけるリマインドイベントを取得してから、アラームチャネルの購読リストが取得でき、購読リストにはアラームチャネルを購読する各クライアント端末が含まれる。実際の実現において、アラームサーバーは、アラームチャネルのチャネルIＤに基づいて、このアラームチャネルを購読した購読リストを取得する。
【０１１５】
ステップ６１０で、アラームサーバーは、リマインドのタイミングと、リマインドの内容とを含むリマインドイベントを各クライアント端末に送信する。
【０１１６】
アラームサーバーは、アラームチャネルを購読した購読リストを取得してから、リマインドのタイミングと、リマインドの内容とを含むリマインドイベントを各クライアント端末に送信してもよい。ここで、リマインドイベントは、各クライアント端末がリマインドイベントに基づいてイベントリマインドを発信するように指示することに使用される。
【０１１７】
また、実際の実現において、アラームサーバーが、リマインドのタイミングと、リマインドの内容とを含むリマインドイベントを各クライアント端末に送信する方法は、以下の内容を含んでもよい。
【０１１８】
（１）、アラームサーバーは、各クライアント端末に対して、クライアント端末と通信するネットワーク条件が予め設定された条件よりよいか否かを検出する。
【０１１９】
アラームサーバーは、各クライアント端末に対して、クライアント端末と通信するネットワーク条件が予め設定された条件よりよいか否かを検出する。例えば、予め設定された条件が２Ｇ（２-Generation wireless telephone technology、第２世代のテレフォン通信技術）ネットワークを利用して通信することを例として、アラームサーバーは、クライアント端末と通信するネットワークが２Ｇネットワークよりよいか否かを検出する。
【０１２０】
（２）、クライアント端末と通信するネットワーク条件が予め設定された条件よりよい場合、リマインドのタイミングと、リマインドの内容と、リマインド方式とを含むリマインドイベントをクライアント端末に送信する。リマインド方式は、リマインド回数と、リマインドベル音と、リマインド画面における少なくとも一つを含む。
【０１２１】
アラームサーバーが検出した結果、クライアント端末と通信するネットワーク条件が予め設定された条件よりよい場合、現在のネットワーク条件がよいことを意味し、アラームサーバーは、リマインドのタイミングと、リマインドの内容と、リマインド方式とを含むリマインドイベントをクライアント端末に送信してもよい。
【０１２２】
例えば、アラームサーバーはアラームサーバーとクライアント端末が３Ｇネットワークを通じて通信すると検出した場合、３Ｇネットワークのインターネットに接続するスピードが速いので、アラームサーバーは、リマインドのタイミングと、リマインドの内容とリマインド方式とを含むリマインドイベントをクライアント端末に送信できる。
【０１２３】
アラームサーバーが検出した結果、クライアント端末と通信するネットワーク条件が予め設定された条件より悪い場合、アラームサーバーはリマインドのタイミングと、リマインドの内容だけを含むリマインドイベントをクライアント端末に送信する。本実施例にてこれに対して省略する。
【０１２４】
ステップ６１１で、各クライアント端末は、アラームサーバーから送信されるリマインドのタイミングと、リマインドの内容とを含むリマインドイベントを受信する。
【０１２５】
それに対応して、アラームチャネルを購読した各クライアント端末は、アラームサーバーから送信されるリマインドイベントを受信する。
【０１２６】
ステップ６１２で、各クライアント端末は、リマインドイベントに基づいてイベントリマインドを発信する。
【０１２７】
クライアント端末は、リマインドイベントに基づいてイベントリマインドを発信する。例えば、リマインドイベントにおけるリマインドのタイミングが到来すると、クライアント端末は、ベル音又は振動を通じてリマインドを発信する。
【０１２８】
実際の実現において、クライアント端末は、リマインドイベントを受信してから、使用の必要に応じてリマインドイベントにおけるリマインドのタイミングを選択的に変更することができる。例えば、クライアント端末は、１２時に家電秒殺（SecKill）のあるリマインドイベントを受信された場合、ユーザは秒殺（SecKill）の成功率を高めるために、秒殺（SecKill）ページを前倒しアクセスしようとする場合、ユーザはリマインドイベントにおけるリマインドのタイミングを前に５分間移動したタイミングに変更し、即ち１１時５５分にクライアント端末でそのリマインドを発信する。詳細には図６Ｃを参照する。リマインド回数が複数回である場合、クライアント端末は各予定時間にリマインドを発信する。
【０１２９】
前記のように、本実施例に提供されるイベントリマインド方法は、同時に少なくとも二つのクライアント端末にイベントリマインドサービスを提供するアラームチャネルからリマインドイベントを取得し、アラームチャネルを購読する各クライアント端末が含まれるアラームチャネルの購読リストを取得し、各クライアント端末がリマインドイベントに基づいてイベントリマインドを発信するように指示するリマインドイベントを購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１３０】
本実施例におけるリマインドイベントは、さらに、リマインド回数と、リマインドベル音と、リマインド画面とにおける少なくとも一つを含んでもよく、これによって認証サーバーは、クライアント端末へのリマインドの送信を実現すると同時に、リマインドベル音により自己宣伝でき、また、リマインド画面にユーザが応答するようにガイドする操作の入口を設置することにより、ユーザ体験を向上させる。
【０１３１】
ここで、クライアント端末は、認証サーバーが成功的にアラームチャネルを作成した後で、このアラームチャネルを購読することが要求することができ、図６Ｄを参照すると、このイベントリマインド方法は、以下のステップをさらに含んでもよい。
【０１３２】
ステップ６１３で、第１クライアント端末は、アラームチャネルを購読するための購読要求をアラームサーバーに送信する。
【０１３３】
ユーザは、アラームサーバーがアラームチャネルを作成した後、このアラームチャネルを購読することを要求し、即ち、ユーザは、自身の第１クライアント端末を利用してアラームチャネルを購読するための購読要求を送信する。
【０１３４】
ステップ６１４で、アラームサーバーは、第１クライアント端末から送信されるアラームチャネルを購読するための購読要求を受信する。
【０１３５】
これに対応して、アラームサーバーは、第１クライアント端末から送信されるアラームチャネルを購読するための購読要求を受信する。
【０１３６】
例えば、図６Ｅを参照すると、ユーザは第１クライアント端末に表示されるアラームチャネルの画面に対して、購読ボタンをクリックし、第１クライアント端末はクリック信号を受信してから、アラームチャネルを購読するための購読要求を送信する。
【０１３７】
ステップ６１５で、アラームサーバーは、第１クライアント端末がアラームチャネルを購読する購読権限を有するか否かを検出する。
【０１３８】
アラームサーバーは、第１クライアント端末からの購読要求を受信した後で、第１クライアント端末がアラームチャネルを購読する購読権限を有しているか否かを検出する。
【０１３９】
ここで、アラームサーバーが第１クライアント端末がアラームチャネルを購読する購読権限を有しているか否かを検出するステップは、以下のステップを含んでもよい。
【０１４０】
（１）、第１クライアント端末の身元IDをアラームチャネルと対応する認証サーバーに送信する。
【０１４１】
アラームサーバーは、購読要求における第１クライアント端末の身元IDをアラームチャネルと対応する認証サーバーに送信できる。
【０１４２】
例えば、第１クライアント端末が会社Ａのアラームチャネルを購読することを要求する場合、アラームサーバーは購読要求における第１クライアント端末のジョブ番号を会社Ａと対応する認証サーバーに送信する。
【０１４３】
（２）において、認証サーバーはアラームサーバーから送信される第１クライアント端末の身元IDを受信する。
【０１４４】
（３）において、認証サーバーは、身元IDに基づいて第１クライアント端末について認証を行う。
【０１４５】
例えば、認証サーバーは、第１クライアント端末のジョブ番号を受信してから、当社の情報ベースに同じジョブ番号が存在するか否かを検出し、検出した結果、同じジョブ番号が存在する場合、認証サーバーの第１クライアント端末に対する認証が成功されたと見なし、検出した結果、同じジョブ番号が存在していない場合、認証サーバーの第１クライアント端末に対する認証が失敗されたと見なす。実際の実現において、認証サーバーが同時に二つ又は二つ以上のアラームチャネルを作成する場合、各アラームチャネルが異なる使用者に対応すると、認証サーバーはジョブ番号を受信した後、このジョブ番号が予定の条件に適合するか否かを検出する。例えば、このジョブ番号がマネージャランクの社員ジョブ番号であるか否かを検出する。本実施例にてこれに対して限定しない。
【０１４６】
（４）、認証サーバーの第１クライアント端末に対する認証が成功された場合、認証成功情報をアラームサーバーに戻させる。
【０１４７】
認証サーバーの第１クライアント端末に対する認証が成功された場合、第１クライアント端末がアラームチャネルを購読する購読権限を有していることを意味し、その場合、認証サーバーは認証成功情報をアラームサーバーに戻す。ここで、認証成功情報は、第１クライアント端末がアラームチャネルを購読する購読権限を有することを意味する。
【０１４８】
認証サーバーの第１クライアント端末に対する認証が失敗された場合、第１クライアント端末がアラームチャネルを購読する購読権限を有しないことを意味し、この場合、認証サーバーは、認証失敗情報をアラームサーバーに戻す。
【０１４９】
（５）、アラームサーバーは、認証サーバーから戻された認証成功情報を受信する。
【０１５０】
これに対応して、アラームサーバーは、認証サーバーから戻された認証成功情報が受信できる。
【０１５１】
アラームサーバーが認証サーバーから戻された認証失敗情報を受信した場合、フローは終了する。
【０１５２】
ステップ６１６で、アラームサーバーが検出した結果、第１クライアント端末がアラームチャネルを購読する購読権限を有する場合、第１クライアント端末を購読リストに追加し、購読成功情報を第１クライアント端末に戻させる。
【０１５３】
アラームサーバーが検出した結果、第１クライアント端末がアラームチャネルを購読する購読権限を有する場合、アラームサーバーは第１クライアント端末を購読リストに追加できる。また、実際の実現において、第１クライアント端末がアラームチャネルを成功的に購読したことを知らせるために、アラームサーバーは、購読成功情報を第１クライアント端末に送信することができる。本実施例にて省略する。
【０１５４】
ステップ６１７で、第１クライアント端末は、アラームサーバーから戻された購読成功情報を受信する。
【０１５５】
これに対応して、第１クライアント端末は、アラームサーバーから戻された購読成功情報を受信し、また、第１クライアント端末は、購読成功情報を受信した後で、自身がアラームチャネルを成功的に購読したことを知ることができ、この後に、アラームチャネルが提供するイベントリマインドサービスを受けることができる。
【０１５６】
ここで、クライアント端末は、アラームチャネルを購読してから、このアラームチャネルの購読を取り消すことが要求でき、図６Ｆを参照すると、このイベントリマインド方法は以下のステップを含んでもよい。
【０１５７】
ステップ６１８で、第２クライアント端末は、アラームチャネルの購読を取り消すための取消要求をアラームサーバーに送信する。
【０１５８】
アラームチャネルを購読したユーザは、アラームサービスが必要ない場合、ユーザは自身の第２クライアント端末を通じてアラームチャネルの購読を取り消すための取消要求が送信できる。
【０１５９】
例えば、図６Ｇを参照すると、ユーザは、第２クライアント端末に表示されるアラームチャネルを含む表示画面に対して、購読を取り消すボタンをクリックし、第２クライアント端末はクリック信号を受信してから、アラームチャネルの購読を取り消すための取消要求を送信する。
【０１６０】
ステップ６１９で、アラームサーバーは第２クライアント端末から送信されるアラームチャネルの購読を取り消すための取消要求を受信する。
【０１６１】
対応的に、アラームサーバーは、第２クライアント端末から送信されるアラームチャネルの購読を取り消すための取消要求を受信する。
【０１６２】
ステップ６２０で、アラームサーバーは購読リストにおける第２クライアント端末を削除し、取消成功情報を第２クライアント端末に戻させる。
【０１６３】
アラームサーバーは、取消要求を受信してから、購読リストにおける第２クライアント端末を削除し、さらに、アラームチャネルの購読を成功的に取り消したことを第２クライアント端末に知らせるために、アラームサーバーは、取消成功情報を第２クライアント端末に送信してもよい。
【０１６４】
ステップ６２１で、第２クライアント端末は、アラームサーバーから戻される取消成功情報を受信する。
【０１６５】
以下は、本発明の装置の実施例であって、本発明の方法の実施例に利用できる。本発明に公開された装置の実施例に開示されなかった詳細は、本発明に公開された方法の実施例を参照する。
【０１６６】
図７は例示的な実施例に示されるイベントリマインド装置の模式図であり、図７に示すように、このイベントリマインド装置は、図１に示される実施環境におけるアラームサーバー１２０に用いられ、このイベントリマインド装置は、イベント取得モジュール７０１と、リスト取得モジュール７０２と、イベント送信モジュール７０３とを含んでもよいが、これに限定されていない。
【０１６７】
イベント取得モジュール７０１は、アラームチャネルにおけるリマインドイベントを取得するように配置され、前記アラームチャネルは同時に少なくとも二つのクライアント端末にイベントリマインドサービスを提供する。
【０１６８】
リスト取得モジュール７０２は、前記アラームチャネルにおける購読リストを取得するように配置され、前記購読リストには前記アラームチャネルを購読する各クライアント端末が含まれている。
【０１６９】
イベント送信モジュール７０３は、前記イベント取得モジュール７０１が取得した前記リマインドイベントを、前記リスト取得モジュール７０２が取得した前記購読リストにおける各クライアント端末に送信するように構成され、前記リマインドイベントは、前記各クライアント端末が前記リマインドイベントに基づいてイベントリマインドを発信するように指示することに使用される。
【０１７０】
前記のように、本実施例に提供されるイベントリマインド装置は、同時に少なくとも二つのクライアント端末にイベントリマインドサービスを提供するアラームチャネルからリマインドイベントを取得し、アラームチャネルを購読する各クライアント端末が含まれるアラームチャネルの購読リストを取得し、各クライアント端末がリマインドイベントに基づいてイベントリマインドを発信するように指示するリマインドイベントを購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１７１】
図８は例示的な実施例に示されるイベントリマインド装置の模式図であり、図８に示すように、このイベントリマインド装置は、図１に示される実施環境におけるアラームサーバー１２０に用いられ、このイベントリマインド装置は、イベント取得モジュール８０１と、リスト取得モジュール８０２と、イベント送信モジュール８０３とを含んでもよいが、これに限定されていない。
【０１７２】
イベント取得モジュール８０１は、アラームチャネルにおけるリマインドイベントを取得するように構成されている。
【０１７３】
リスト取得モジュール８０２は、前記アラームチャネルにおける購読リストを取得するように構成されている。
【０１７４】
イベント送信モジュール８０３は、前記イベント取得モジュール８０１が取得した前記リマインドイベントを、前記リスト取得モジュール８０２が取得した前記購読リストにおける各クライアント端末に送信するように構成されている。
【０１７５】
本実施例の第１の可能な実施形態において、前記イベント送信モジュール８０３は、リマインドのタイミングと、リマインドの内容とを含む前記リマインドイベントを前記各クライアント端末に送信するように構成されている。
【０１７６】
本実施例の第２の可能な実施形態において、前記イベント送信モジュール８０３は、前記各クライアント端末に対して、前記クライアント端末と通信するネットワーク条件が予め設定された条件よりよいか否かを検出するように構成されるネットワーク条件検出ユニット８０３aと、前記ネットワーク条件検出ユニット８０３aが検出した結果、前記クライアント端末と通信するネットワーク条件が前記予め設定された条件よりよい場合、リマインド回数と、リマインドベル音と、リマインド画面における少なくとも一つをふくむリマインド方式と、リマインドのタイミングと、リマインドの内容とを含む前記リマインドイベントを前記クライアント端末に送信するように構成されているイベント送信ユニット８０３bと、を含む。
【０１７７】
本実施例の第３の可能な実施形態において、前記リマインドベル音は、前記リマインドイベントに対応するベル音を含み、及び/または、前記リマインド画面は、前記クライアントが前記リマインドイベントに応答するようにガイドする操作の入口を含む。
【０１７８】
本実施例の第４の可能な実施形態において、前記装置は、認証サーバーから送信される前記アラームチャネルを開通するための開通申し込みを受信するように構成される開通申し込み受信モジュール８０４と、前記認証サーバーが前記アラームチャネルを開通する権限を有するか否かを検出するように構成される第１検出モジュール８０５と、前記第１検出モジュール８０５が検出した結果、前記認証サーバーが前記アラームチャネルを開通する権限を有する場合、前記アラームチャネルを開通し、開通成功情報を前記認証サーバーに戻すように構成されるチャネル開通モジュール８０６と、をさらに含む。
【０１７９】
本実施例の第５の可能な実施形態において、前記装置は、第１クライアント端末から送信される前記アラームチャネルを購読するための購読要求を受信するように構成される購読要求受信モジュール８０７と、前記第１クライアント端末が前記アラームチャネルを購読する購読権限を有するか否かを検出するように構成される第２検出モジュール８０８と、前記第２検出モジュール８０８が検出した結果、前記第１クライアント端末が前記アラームチャネルを購読する購読権限を有する場合、前記第１クライアント端末を前記購読リストに追加し、購読成功情報を前記第１クライアント端末に戻すように構成されているクライアント端末追加モジュール８０９と、をさらに含む。
【０１８０】
本実施例の第６の可能な実施形態において、前記第２検出モジュール８０８は、前記第１クライアント端末の身元IDを前記アラームチャネルに対応する認証サーバーに送信するように構成されるID送信ユニット８０８aと、前記認証サーバーによる前記身元IDに基づく前記第１クライアント端末に対する認証後に前記認証サーバーから戻される、前記第１クライアント端末が前記アラームチャネルを購読する購読権限を有することを意味する認証成功情報を受信するように構成される情報受信ユニット８０８bと、を含む。
【０１８１】
本実施例の第７の可能な実施形態において、前記装置は、第２クライアント端末から送信される前記アラームチャネルの購読を取り消すための取消要求を受信するように構成される取消要求受信モジュール８１０と、前記購読リストにおける前記第２クライアント端末を削除し、取消成功情報を前記第２クライアント端末に戻すように構成されるクライアント端末削除モジュール８１１と、をさらに含む。
【０１８２】
前記のように、本実施例に提供されるイベントリマインド装置は、同時に少なくとも二つのクライアント端末にイベントリマインドサービスを提供するアラームチャネルからリマインドイベントを取得し、アラームチャネルを購読する各クライアント端末が含まれるアラームチャネルの購読リストを取得し、各クライアント端末がリマインドイベントに基づいてイベントリマインドを送信するように指示するリマインドイベントを購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１８３】
図９は他の例示的な実施例に示されるイベントリマインド装置の模式図であり、図９に示すように、このイベントリマインド装置は、図１に示される実施環境における認証サーバー１１０に用いられる。このイベントリマインド装置は、イベント作成モジュール９０１と、イベント送信モジュール９０２とを含んでもよいが、これに限定されていない。
【０１８４】
イベント作成モジュール９０１は、アラームチャネルにリマインドイベントを作成するように構成され、前記アラームチャネルは、同時に少なくとも二つのクライアント端末にイベントリマインドサービスを提供する。
【０１８５】
イベント送信モジュール９０２は、前記イベント作成モジュール９０１が作成した前記リマインドイベントをアラームサーバーに送信するように構成され、前記リマインドイベントは、前記アラームサーバーが前記リマインドイベントを前記アラームチャネルにおける購読リストの各クライアント端末に転送するように指示することに使用され、前記購読リストには、前記アラームチャネルを購読した各クライアント端末が含まれ、前記リマインドイベントは、前記各クライアント端末が前記リマインドイベントに基づきイベントリマインドを発信するように指示することに使用される。
【０１８６】
前記のように、本実施例に提供されるイベントリマインド装置は、同時に少なくとも二つのクライアント端末にイベントリマインドサービスを提供するアラームチャネルにリマインドイベントを作成し、アラームサーバーがリマインドイベントをアラームチャネルの購読リストにおける各クライアント端末に転送するように指示するためのリマインドイベントをアラームサーバーに送信し、購読リストは、アラームチャネルを購読する各クライアント端末が含まれ、リマインドイベントは、各クライアント端末がリマインドイベントに基づいてイベントリマインドを発信するように指示することに使用される。従って、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１８７】
図１０は、他の例示的な実施例に示されるイベントリマインド装置の模式図であり、図１０に示すように、このイベントリマインド装置は、図１に示される実施環境における認証サーバー１１０に用いられる。このイベントリマインド装置は、イベント作成モジュール１００１と、イベント送信モジュール１００２とを含んでもよいが、これに限定されていない。
【０１８８】
イベント作成モジュール１００１は、アラームチャネルにリマインドイベントを作成するように配置される。
【０１８９】
イベント送信モジュール１００２は、前記イベント作成モジュール１００１が作成した前記リマインドイベントをアラームサーバーに送信するように構成され、前記リマインドイベントは、前記アラームサーバーが前記リマインドイベントを前記アラームチャネルにおける購読リストの各クライアント端末に送信するように指示することに使用される。
【０１９０】
本実施例の第１の可能な実施形態において、前記イベント作成モジュール１００１は、前記アラームチャネルに、リマインドのタイミングと、リマインドの内容と、リマインド方式とを含む前記リマインドイベントを作成するように構成され、前記リマインド方式は、リマインド回数と、リマインドベル音と、リマインド画面とにおける少なくとも一つを含む。
【０１９１】
本実施例の第２の可能な実施形態において、前記リマインドベル音は、前記リマインドイベントに対応するベル音を含み、及び/または、前記リマインド画面は、前記クライアント端末が前記リマインドイベントに応答するようにガイドする操作の入口を含む。
【０１９２】
本実施例の第３の可能な実施形態において、前記装置は、前記アラームチャネルを開通するための開通申し込みを前記アラームサーバーに送信するように構成される開通申し込み送信モジュール１００３と、前記アラームサーバーが前記開通申し込みを受信し、前記認証サーバーが前記アラームチャネルを開通する権限を有すると検出され、前記アラームチャネルを開通してから前記アラームサーバーから戻される開通成功情報を受信するように構成される情報受信モジュール１００４と、をさらに含む。
【０１９３】
本実施例の第４の可能な実施形態において、前記装置は、前記アラームサーバーから送信される、前記アラームチャネルの購読を要求する第１クライアント端末の身元IDを受信するように構成されるID受信モジュール１００５と、前記ID受信モジュール１００５が受信した前記身元IDに基づいて、前記第１クライアント端末に対して認証を行うように構成されるクライアント端末認証モジュール１００６と、前記クライアント端末認証モジュール１００６の前記第１クライアント端末に対する認証が成功された場合に、前記第１クライアント端末が前記アラームチャネルを購読する購読権限を有することを意味する認証成功情報を前記アラームサーバーに戻すように構成される情報戻しモジュール１００７と、さらに含む。
【０１９４】
前記のように、本実施例に提供されるイベントリマインド装置は、同時に少なくとも二つのクライアント端末にイベントリマインドサービスを提供するアラームチャネルにリマインドイベントを作成し、アラームサーバーがリマインドイベントをアラームチャネルの購読リストにおける各クライアント端末に転送するように指示することに使用されるリマインドイベントをアラームサーバーに送信し、購読リストは、アラームチャネルを購読する各クライアント端末が含まれ、リマインドイベントは、各クライアント端末がリマインドイベントに基づいてイベントリマインドを発信するように指示することに使用される。従って、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１９５】
図１１は、他の例示的な実施例に示されるイベントリマインド装置の模式図であり、図１１に示すように、このイベントリマインド装置は、図１に示される実施環境におけるクライアント端末１３０に用いられる。このイベントリマインド装置は、イベント受信モジュール１１０１と、リマインド発信モジュール１１０２とを含んでもよいが、これに限定されていない。
【０１９６】
イベント受信モジュール１１０１は、アラームサーバーから送信されるリマインドイベントを受信するように構成され、前記リマインドイベントは、前記アラームサーバーによってアラームチャネルから取得されるリマインドイベントであり、前記アラームチャネルにおける購読リストを取得してから、前記購読リストにおける各クライアント端末に送信されたイベントであって、前記アラームチャネルは、同時に少なくとも二つのクライアント端末にイベントリマインドサービスを提供する。前記購読リストは、前記アラームチャネルを購読する各クライアント端末を含む。
【０１９７】
リマインド発信モジュール１１０２は、前記リマインドイベントに基づいてイベントリマインドを発信するように構成されている。
【０１９８】
前記のように、本実施例に提供されるイベントリマインド装置は、アラームサーバーから送信されるリマインドイベントを受信し、リマインドイベントに基づいてイベントリマインドを発信する。リマインドイベントは、アラームサーバーによってアラームチャネルから取得されるリマインドイベントであり、かつアラームチャネルの購読リストを取得してから購読リストにおける各クライアント端末に送信されるイベントであり、アラームチャネルは、同時に少なくとも二つのクライアント端末にイベントリマインドサービスを提供し、購読リストには、アラームチャネルを購読する各クライアント端末が含まれる。従って、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなり、アラームリマインドをタイムリーに受信でき、イベントの遅延又は忘れを避ける効果を奏する。
【０１９９】
図１２は、他の例示的な実施例に示されるイベントリマインド装置の模式図で、図１２に示すように、このイベントリマインド装置は、図１に示される実施環境におけるクライアント端末１３０に用いられる。このイベントリマインド装置は、イベント受信モジュール１２０１と、リマインド発信モジュール１２０２とを含んでもよいが、これに限定されていない。
【０２００】
イベント受信モジュール１２０１は、アラームサーバーから送信されるリマインドイベントを受信するように構成され、前記リマインドイベントは、前記アラームサーバーによってアラームチャネルから取得されるものであり、前記アラームチャネルにおける購読リストを取得してから、前記購読リストにおける各クライアント端末に送信されたイベントであって、前記アラームチャネルは、同時に少なくとも二つのクライアント端末にイベントリマインドサービスを提供する。前記購読リストは前記アラームチャネルを購読する各クライアント端末を含む。
【０２０１】
リマインド発信モジュール１２０２は、前記リマインドイベントに基づいてイベントリマインドを発信するように構成されている。
【０２０２】
本実施例の第１の可能な実施形態において、前記装置は、さらに前記アラームチャネルを購読するための購読要求を前記アラームサーバーに送信するように構成される購読要求送信モジュール１２０３と、前記アラームサーバーから戻される購読成功情報を受信するように構成されている第１受信モジュール１２０４と、を含む。
【０２０３】
本実施例の第２の可能な実施形態において、前記装置は、さらに、前記アラームチャネルの購読を取り消すための取消要求を前記アラームサーバーに送信する取消要求送信モジュール１２０５と、前記アラームサーバーから戻される取消成功情報を受信するように構成される第２受信モジュール１２０６とを含む。
【０２０４】
前記のように、本実施例に提供されるイベントリマインド装置は、アラームサーバーから送信されるリマインドイベントを受信し、リマインドイベントに基づいてイベントリマインドを発信する。リマインドイベントは、アラームサーバーによってアラームチャネルから取得されるリマインドイベントであり、かつアラームチャネルの購読リストを取得してから購読リストにおける各クライアント端末に送信されるイベントであり、アラームチャネルは、同時に少なくとも二つのクライアント端末にイベントリマインドサービスを提供し、購読リストには、アラームチャネルを購読する各クライアント端末が含まれる。従って、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなり、アラームリマインドをタイムリーに受信でき、イベントの遅延又は忘れを避ける効果を奏する。
【０２０５】
本実施例は、イベントリマインドシステムを提供し、このイベントリマインドシステムは、アラームサーバーと、認証サーバーと、クライアント端末とを含んでもよい。ここで、アラームサーバーの詳細に関しては、図７又は図８に対応する実施例を参照し、認証サーバーの詳細に関しては、実施例９又は図１０に対応する実施例を参照し、クライアント端末の詳細に関しては、実施例１１又は図１２に対応する実施例を参照し、ここでは省略する。
【０２０６】
前記のように、本実施例に提供されるイベントリマインドシステムは、アラームチャネルにおけるリマインドイベントを取得し、アラームチャネルの購読リストを取得し、リマインドイベントを購読リストにおける各クライアント端末に送信して、ユーザが自分の端末にアラーム設定を行う必要がなくなり、関連技術において、ユーザがアラームリマインドをタイムリーに受信できなく、関連事項を遅延して処理するか、または処理することを忘れてしまう問題を解決し、ユーザがアラームリマインドをタイムリーに受信でき、イベントの遅延又は忘れを回避する効果を奏する。
【０２０７】
ここで、上記の実施例に提供されるイベントリマインド装置は、イベントリマインドを行う場合に、上記各機能モジュールに区画したことで例示的に説明したが、実際上は、必要に応じて、上記機能を異なる機能モジュールに割り当てて実行させてもよく、つまり端末の内部構造を異なる機能モジュールに区画して、以上に記載された全部又は部分の機能を完成してもよい。なお、上記の実施例が提供するイベントリマインド装置とイベントリマインド方法は、同じ主旨に属し、その具体的な過程は方法実施例を参照し、ここでは省略する。
【０２０８】
図１３は、本発明の実施例に係るサーバーの構造模式図である。このサーバー１３００は、認証サーバー１１０又はアラームサーバー１２０であってもよい。該サーバー１３００は構成又は性能の区別によって比較的大きく相違する可能性があり、１つ又は一つ以上の中央処理装置（ｃｅｎｔｒａｌ  ｐｒｏｃｅｓｓｉｎｇ  ｕｎｉｔｓ、ＣＰＵ）１３２２（例えば、１つ又は一つ以上のプロセッサ）と、メモリ１３３２と、アプリケーション１３４２又はデータ１３４４を記憶する１つ又は一つ以上の記憶媒体１３３０（例えば、１つ又は一つ以上の大容量記憶装置）と、を含み得る。ここで、メモリ１３３２と記憶媒体１３３０は短期記憶型または長期記憶型であってもよい。記憶媒体１３３０に記憶されるプログラムは１つ又は一つ以上のモジュール（未図示）を含み得、それぞれのモジュールは、サーバーに対する一連の命令操作を含み得る。更に、中央処理装置１３２２は、記憶媒体１３３０と通信し、サーバー１３００で記憶媒体１３３０中の一連の命令操作を実行するように設置され得る。
【０２０９】
サーバー１３００は、更に１つ又は一つ以上の電源１３２６、１つ又は一つ以上の有線又は無線ネットワークインターフェース１３５０、１つ又は一つ以上の入出力イ（Ｉ／Ｏ）ンターフェース１３５８、１つ又は一つ以上のキーボード１３５６、及び／又は、１つ又は一つ以上のオペレーティング・システム（ＯＳ）１３４１が含み得る。オペレーティング・システム１３４１として、例えば、Ｗｉｎｄｏｗｓ  Ｓｅｒｖｅｒ（登録商標）、Ｍａｃ  ＯＳ  Ｘ（登録商標）、Ｕｎｉｘ（登録商標）、  Ｌｉｎｕｘ（登録商標）、ＦｒｅｅＢＳＤ（登録商標）などである。
【０２１０】
図１４は、例示的な実施例に示されるイベントリマインドに用いられる装置１４００の模式図である。例えば、装置１４００は、携帯電話、コンピューター、デジタル放送端末、メッセージ送受信デバイス、ゲームコンソール、タブレットデバイス、パーソナルデジタルアシスタント等であってもよい。
【０２１１】
図１４を参照して、装置１４００は、プロセスアセンブリ１４０２、メモリ１４０４、電源アセンブリ１４０６、マルチメディアアセンブリ１４０８、オーディオアセンブリ１４１０、入出力（Ｉ／ O）インターフェイス１４１２、センサアセンブリ１４１４、及び通信アセンブリ１４１６のような一つ以上のアセンブリを含んでよい。
【０２１２】
プロセスアセンブリ１４０２は、一般的には装置１４００の全体の操作を制御するものであり、例えば、表示、電話呼び出し、データ通信、カメラ操作、及び記録操作と関連する操作を制御する。プロセスアセンブリ１４０２は、一つ以上のプロセッサ１４１８を含み、これらによって命令を実行することにより、上記の方法の全部、或は一部のステップを実現するようにしてもよい。なお、プロセスアセンブリ１４０２は、一つ以上のモジュールを含み、これらによってプロセスアセンブリ１４０２と他のアセンブリの間のインタラクションを容易にするようにしてもよい。例えば、プロセスアセンブリ１４０２は、マルチメディアモジュールを含み、これらによってマルチメディアアセンブリ１４０８とプロセスアセンブリ１４０２の間のインタラクションを容易にするようにしてもよい。
【０２１３】
メモリ１４０４は、各種類のデータを記憶することにより装置１４００の操作を支援するように構成される。これらのデータの例は、装置１４００において操作されるいずれのアプリケーションプログラム又は方法の命令、連絡対象データ、電話帳データ、メッセージ、画像、ビデオ等を含む。メモリ１４０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０２１４】
電源アセンブリ１４０６は、装置１４００の多様なアセンブリに電力を供給する。電源アセンブリ１４０６は、電源管理システム、一つ以上の電源、及び装置１４００のための電力の生成、管理及び割り当てに関連する他のアセンブリを含んでもよい。
【０２１５】
マルチメディアアセンブリ１４０８は、前記装置１４００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１４０８は、一つのフロントカメラ、及び／又はリアカメラを含む。装置１４００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２１６】
オーディオアセンブリ１４１０は、オーディオ信号を入出力するように構成されてもよい。例えば、オーディオアセンブリ１４１０は、一つのマイク（ＭＩＣ）を含み、装置１４００が、例えば呼出しモード、記録モード、及び音声認識モード等の操作モードにある場合、マイクは外部のオーディオ信号を受信することができる。受信されたオーディオ信号は、さらにメモリ１４０４に記憶されたり、通信アセンブリ１４１６を介して送信されたりされる。上記の実施例において、オーディオアセンブリ１４１０は、オーディオ信号を出力するための一つのスピーカーをさらに含む。
【０２１７】
Ｉ／Ｏインターフェイス１４１２は、プロセスアセンブリ１４０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０２１８】
センサアセンブリ１４１４は、装置１４００に各方面の状態に対する評価を提供するための一つ以上のセンサを含む。例えば、センサアセンブリ１４１４は、装置１４００のＯＮ／ＯＦＦ状態、装置１４００のディスプレイとキーパッドのようなアセンブリの相対的な位置決めを検出できる。また、例えば、センサアセンブリ１４１４は、装置１４００、或は装置１４００の一つのアセンブリの位置変更、ユーザと装置１４００とが接触しているか否か、装置１４００の方位、又は加速／減速、装置５００の温度の変化を検出できる。センサアセンブリ１４１４は、何れの物理的接触がない状態にて付近の物体の存在を検出するための近接センサを含んでもよい。センサアセンブリ１４１４は、撮影アプリケーションに適用するため、ＣＭＯＳ、又はＣＣＤ画像センサのような光センサを含んでもよい。上記の実施例において、当該センサアセンブリ１４１４は、加速度センサ、ジャイロスコープセンサ、磁気センサ、圧力センサ、及び温度センサをさらに含んでもよい。
【０２１９】
通信アセンブリ１４１６は、装置１４００と他の機器の間に有線、又は無線形態の通信を提供する。装置１４００は、例えばＷｉＦｉ、２Ｇ、３Ｇ、或はこれらの組み合わせのような、通信規格に基づいた無線ネットワークに接続されてもよい。一つの例示的な実施例において、通信アセンブリ１４１６は、放送チャンネルを介して外部の放送管理システムからの放送信号、又は放送に関連する情報を受信する。一つの例示的な実施例において、前記通信アセンブリ１４１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０２２０】
例示的な実施例において、装置１４００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０２２１】
例示的な実施例において、さらに、命令を含むコンピュータ読取り可能な非一時的な記録媒体、例えば命令を含むメモリ１４０４を提供しており、装置１４００のプロセッサ１４１８により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０２２２】
本分野の当業者は、明細書を参照し、ここで公開した発明を実行すると、本発明の他の実施例を容易に想到できる。本願は、本発明の何れの変形、用途または適応的な変更を含み、これらの変形、用途又は適応的な変化は、本発明の一般的な原理に従い、本明細書に公開されなかった本技術分野において公知の常識又は慣用の技術手段を含む。明細書と実施例は、単に例示的なものであり、本発明の保護範囲と主旨は特許請求の範囲によって確定される。
【０２２３】
本発明は、上記に記載され図面に示された詳細な構造に限定されていなく、その範囲内で様々な修正と変更を行うことができる。本発明の範囲は、特許請求の範囲だけによって制限される。
【図１】
2016518786.tif 000003
【図２】
2016518786.tif 000004
【図３】
2016518786.tif 000005
【図４】
2016518786.tif 000006
【図５】
2016518786.tif 000007
【図６Ａ】
2016518786.tif 000008
【図６Ｂ】
2016518786.tif 000009
【図６Ｃ】
2016518786.tif 000010
【図６Ｄ】
2016518786.tif 000011
【図６Ｅ】
2016518786.tif 000012
【図６Ｆ】
2016518786.tif 000013
【図６Ｇ】
2016518786.tif 000014
【図７】
2016518786.tif 000015
【図８】
2016518786.tif 000016
【図９】
2016518786.tif 000017
【図１０】
2016518786.tif 000018
【図１１】
2016518786.tif 000019
【図１２】
2016518786.tif 000020
【図１３】
2016518786.tif 000021
【図１４】
2016518786.tif 000022
【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
同時に少なくとも二つのクライアント端末にイベントリマインドサービスを提供するアラームチャネルからリマインドイベントを取得するステップと、
前記アラームチャネルにおける、当該アラームチャネルを購読した各クライアント端末が含まれる購読リストを取得するステップと、
前記各クライアント端末が前記リマインドイベントに基づきイベントリマインドを発信するように指示するための前記リマインドイベントを、前記購読リストにおける各クライアント端末に送信するステップと、
を含むことを特徴とするイベントリマインド方法。
【請求項２】
前記リマインドイベントを前記購読リストにおける各クライアント端末に送信するステップは、
リマインドのタイミングとリマインドの内容を含む前記リマインドイベントを、前記各クライアント端末に送信するステップを含む
ことを特徴とする請求項１に記載のイベントリマインド方法。
【請求項３】
リマインドのタイミングとリマインドの内容を含む前記リマインドイベントを、前記各クライアント端末に送信するステップは、
前記各クライアント端末に対して、前記クライアント端末と通信するネットワーク条件が予め設定された条件よりよいか否かを検出するステップと、
前記クライアント端末と通信するネットワーク条件が予め設定された条件よりよい場合、リマインドのタイミングと、リマインドの内容と、リマインド方式とを含む前記リマインドイベントを前記クライアント端末に送信するステップとを含み、
前記リマインド方式はリマインド回数、リマインドベル音及びリマインド画面における少なくとも一つを含む
ことを特徴とする請求項２に記載のイベントリマインド方法。
【請求項４】
前記リマインドベル音は、前記リマインドイベントに対応するベル音を含み、
及び/又は、
前記リマインド画面は、前記クライアント端末が前記リマインドイベントに応答するようにガイドする操作の入口を含む
ことを特徴とする請求項３に記載のイベントリマインド方法。
【請求項５】
認証サーバーから送信される前記アラームチャネルを開通するための開通申し込みを受信するステップと、
前記認証サーバーが前記アラームチャネルを開通する権限を有するか否かを検出するステップと、
前記認証サーバーが前記アラームチャネルを開通する権限を有する場合、前記アラームチャネルを開通し、開通成功情報を前記認証サーバーに戻すステップと、
をさらに含むことを特徴とする請求項１に記載のイベントリマインド方法。
【請求項６】
第１クライアント端末から送信される前記アラームチャネルを購読するための購読要求を受信するステップと、
前記第１クライアント端末が前記アラームチャネルを購読する購読権限を有するか否かを検出するステップと、
前記第１クライアント端末が前記アラームチャネルを購読する購読権限を有する場合、前記第１クライアント端末を前記購読リストに追加し、購読成功情報を前記第１クライアント端末に戻すステップと、
をさらに含むことを特徴とする請求項１に記載のイベントリマインド方法。
【請求項７】
前記第１クライアント端末が前記アラームチャネルを購読する購読権限を有するか否かを検出するステップは、
前記第１クライアント端末の身元IDを前記アラームチャネルと対応する認証サーバーに送信するステップと、
前記認証サーバーが前記身元IDに基づき前記第１クライアント端末に対して認証を行って認証成功された場合、前記認証サーバーから戻される認証成功情報を受信するステップと、をさらに含み、
認証成功情報は前記第１クライアント端末が前記アラームチャネルを購読する購読権限を有することを意味することを特徴とする請求項６に記載のイベントリマインド方法。
【請求項８】
第２クライアント端末から送信される前記アラームチャネルの購読を取り消すための取消要求を受信するステップと、
前記購読リストにおける前記第２クライアント端末を削除し、取消成功情報を前記第２クライアント端末に戻すステップと、
をさらに含むことを特徴とする請求項１から請求項７のいずれかに記載のイベントリマインド方法。
【請求項９】
同時に少なくとも二つのクライアント端末にイベントリマインドサービスを提供するアラームチャネルにリマインドイベントを作成するステップと、
アラームサーバーに前記リマインドイベントを送信するステップと、
を含み、
前記リマインドイベントは、前記アラームサーバーが前記アラームチャネルの購読リストの各クライアント端末に前記リマインドイベントを転送するよう指示するものであり、前記購読リストは、前記アラームチャネルを購読する各クライアント端末を含み、且つ前記リマインドイベントは、前記各クライアント端末が前記リマインドイベントに基づきイベントリマインドを発信するように指示するものである
ことを特徴とするイベントリマインド方法。
【請求項１０】
前記アラームチャネルにリマインドイベントを作成するステップは、
前記アラームチャネルにリマインドのタイミングと、リマインドの内容と、リマインド方式とを含む前記リマインドイベントを作成するステップを含み、
前記リマインド方式はリマインド回数、リマインドベル音及びリマインド画面における少なくとも一つを含む
ことを特徴とする請求項９に記載のイベントリマインド方法。
【請求項１１】
前記リマインドベル音は、前記リマインドイベントに対応するベル音を含み、
及び/又は、
前記リマインド画面は、前記クライアント端末が前記リマインドイベントに応答するようにガイドする操作の入口を含む
ことを特徴とする請求項１０に記載のイベントリマインド方法。
【請求項１２】
前記アラームチャネルを開通するための開通申し込みを前記アラームサーバーに送信するステップと、
前記アラームサーバーが前記開通申し込みを受信し、認証サーバーが前記アラームチャネルを開通する権限を有すると検出され、前記アラームチャネルを開通してから前記アラームサーバーから戻される開通成功情報を受信するステップと、
をさらに含むことを特徴とする請求項９に記載のイベントリマインド方法。
【請求項１３】
前記アラームサーバーから送信される、前記アラームチャネルの購読を要求する第１クライアント端末の身元IDを受信するステップと、
前記身元IDに基づき前記第１クライアント端末に対して認証を行うステップと、
前記第１クライアント端末に対する認証が成功された場合、前記第１クライアント端末が前記アラームチャネルを購読する購読権限を有することを意味する認証成功情報を前記アラームサーバーに戻すステップと、
をさらに含むことを特徴とする請求項９に記載のイベントリマインド方法。
【請求項１４】
アラームサーバーから送信されるリマインドイベントを受信するステップと、
前記リマインドイベントに基づきイベントリマインドを発信するステップとを含み、
前記リマインドイベントは、同時に少なくとも二つのクライアント端末にイベントリマインドサービスを提供するアラームチャネルから前記アラームサーバーによって取得されるリマインドイベントであり、前記アラームチャネルにおける、前記アラームチャネルを購読する各クライアント端末を含む購読リストを取得してから、前記購読リストにおける各クライアント端末に送信されるリマインドイベントである、
ことを特徴とするイベントリマインド方法。
【請求項１５】
前記アラームチャネルを購読するための購読要求を前記アラームサーバーに送信するステップと、
前記アラームサーバーから戻される購読成功情報を受信するステップと
をさらに含むことを特徴とする請求項１４に記載のイベントリマインド方法。
【請求項１６】
前記アラームチャネルの購読を取り消すための取消要求を前記アラームサーバーに送信するステップと、
前記アラームサーバーから戻される取消成功情報を受信するステップと、
をさらに含むことを特徴とする請求項１４に記載のイベントリマインド方法。
【請求項１７】
同時に少なくとも二つのクライアント端末にイベントリマインドサービスを提供するアラームチャネルにおけるリマインドイベントを取得するイベント取得モジュールと、
前記アラームチャネルにおける、前記アラームチャネルを購読した各クライアント端末が含まれる購読リストを取得するリスト取得モジュールと、
前記イベント取得モジュールが取得した、前記各クライアント端末が前記リマインドイベントに基づきイベントリマインドを発信するように指示するための前記リマインドイベントを、前記リスト取得モジュールが取得した前記購読リストにおける各クライアント端末に送信するイベント送信モジュールと、
を備えることを特徴とするイベントリマインド装置。
【請求項１８】
前記イベント送信モジュールは、リマインドのタイミングと、リマインドの内容を含む前記リマインドイベントを前記各クライアント端末に送信する
ことを特徴とする請求項１７に記載のイベントリマインド装置。
【請求項１９】
前記イベント送信モジュールは、
前記各クライアント端末に対して、前記クライアント端末と通信するネットワーク条件が予め設定された条件よりよいか否かを検出するネットワーク条件検出ユニットと、
前記ネットワーク条件検出ユニットが検出した結果、前記クライアント端末と通信するネットワーク条件が前記予め設定された条件よりよい場合、リマインドのタイミングと、リマインドの内容と、リマインド方式とを含む前記リマインドイベントを前記クライアント端末に送信するイベント送信ユニットとを備え、
前記リマインド方式は、リマインド回数、リマインドベル音及びリマインド画面における少なくとも一つを含むことを特徴とする請求項１８に記載のイベントリマインド装置。
【請求項２０】
前記リマインドベル音は、前記リマインドイベントに対応するベル音を含み、
及び/又は、
前記リマインド画面は、前記クライアント端末が前記リマインドイベントに応答するようにガイドする操作の入口を含む
ことを特徴とする請求項１９に記載のイベントリマインド装置。
【請求項２１】
認証サーバーから送信される前記アラームチャネルを開通するための開通申し込みを受信する開通申し込み受信モジュールと、
前記認証サーバーが前記アラームチャネルを開通する権限を有するか否かを検出する第１検出モジュールと、
前記第１検出モジュールが検出した結果、前記認証サーバーが前記アラームチャネルを開通する権限を有する場合、前記アラームチャネルを開通し、開通成功情報を前記認証サーバーに戻すチャネル開通モジュールと、
をさらに備えることを特徴とする請求項１７に記載のイベントリマインド装置。
【請求項２２】
第１クライアント端末から送信される前記アラームチャネルを購読するための購読要求を受信する購読要求受信モジュールと、
前記第１クライアント端末が前記アラームチャネルを購読する購読権限を有するか否かを検出する第２検出モジュールと、
前記第２検出モジュールが検出した結果、前記第１クライアント端末が前記アラームチャネルを購読する購読権限を有する場合、前記第１クライアント端末を前記購読リストに追加し、購読成功情報を前記第１クライアント端末に戻すクライアント端末追加モジュールと、
をさらに備えることを特徴とする請求項１７に記載のイベントリマインド装置。
【請求項２３】
前記第２検出モジュールは、
前記第１クライアント端末の身元IDを前記アラームチャネルに対応する認証サーバーに送信するID送信ユニットと、
前記認証サーバーが前記身元IDに基づいて前記第１クライアント端末に対して認証を行って認証後に、前記認証サーバーから戻される認証成功情報を受信する情報受信ユニットと、を備え、
前記認証成功情報は、前記第１クライアント端末が前記アラームチャネルを購読する購読権限を有することを意味することを特徴とする請求項２２に記載のイベントリマインド装置。
【請求項２４】
第２クライアント端末から送信される前記アラームチャネルの購読を取り消すための取消要求を受信する取消要求受信モジュールと、
前記購読リストにおける前記第２クライアント端末を削除し、取消成功情報を前記第２クライアント端末に戻すクライアント端末削除モジュールと、
をさらに備えることを特徴とする請求項１７から請求項２３のいずれかに記載のイベントリマインド装置。
【請求項２５】
同時に少なくとも二つのクライアント端末にイベントリマインドサービスを提供するアラームチャネルにリマインドイベントを作成するイベント作成モジュールと、
前記イベント作成モジュールが作成した前記リマインドイベントをアラームサーバーに送信するイベント送信モジュールとを備え、
前記リマインドイベントは、前記アラームサーバーが前記リマインドイベントを、前記アラームチャネルの購読リストにおける各クライアント端末に転送するように指示するためのものであり、前記購読リストは、前記アラームチャネルを購読した各クライアント端末を含み、且つ前記リマインドイベントは、前記各クライアント端末が前記リマインドイベントに基づきイベントリマインドを発信するように指示するためのものである
ことを特徴とするイベントリマインド装置。
【請求項２６】
前記イベント作成モジュールは、前記アラームチャネルに、リマインドのタイミングと、リマインドの内容と、リマインド方式とを含む前記リマインドイベントを作成し、前記リマインド方式は、リマインド回数と、リマインドベル音と、リマインド画面とにおける少なくとも一つを含む
ことを特徴とする請求項２５に記載のイベントリマインド装置。
【請求項２７】
前記リマインドベル音は、前記リマインドイベントに対応するベル音を含み、
及び/又は、
前記リマインド画面は、前記クライアント端末が前記リマインドイベントに応答するようにガイドする操作の入口を含む
ことを特徴とする請求項２６に記載のイベントリマインド装置。
【請求項２８】
前記アラームチャネルを開通するための開通申し込みを前記アラームサーバーに送信する開通申し込み送信モジュールと、
前記アラームサーバーが前記開通申し込みを受信し、認証サーバーが前記アラームチャネルを開通する権限を有すると検出され、前記アラームチャネルを開通してから前記アラームサーバーから戻される開通成功情報を受信する情報受信モジュールと、
をさらに備えることを特徴とする請求項２５に記載のイベントリマインド装置。
【請求項２９】
前記アラームサーバーから送信される、前記アラームチャネルの購読を要求する第１クライアント端末の身元IDを受信するID受信モジュールと、
前記ID受信モジュールが受信した前記身元IDに基づいて、前記第１クライアント端末に対して認証を行うクライアント端末認証モジュールと、
前記クライアント端末認証モジュールの前記第１クライアント端末に対する認証が成功された場合に、前記第１クライアント端末が前記アラームチャネルを購読する購読権限を有することを意味する認証成功情報を前記アラームサーバーに戻す情報戻しモジュールと、
をさらに備えることを特徴とする請求項２５に記載のイベントリマインド装置。
【請求項３０】
アラームサーバーから送信されるリマインドイベントを受信するイベント受信モジュールと、
前記リマインドイベントに基づきイベントリマインドを発信するリマインド発信モジュールとを備え、
前記リマインドイベントは、同時に少なくとも二つのクライアント端末にイベントリマインドサービスを提供するアラームチャネルから前記アラームサーバーによって取得されるリマインドイベントであり、前記アラームチャネルにおける、前記アラームチャネルを購読する各クライアント端末を含む購読リストを取得してから、前記購読リストにおける各クライアント端末に送信されるリマインドイベントである
ことを特徴とするイベントリマインド装置。
【請求項３１】
前記アラームチャネルを購読するための購読要求を前記アラームサーバーに送信する購読要求送信モジュールと、
前記アラームサーバーから戻される購読成功情報を受信する第１受信モジュールと、
をさらに備えることを特徴とする請求項３０に記載のイベントリマインド装置。
【請求項３２】
前記アラームチャネルの購読を取り消すための取消要求を前記アラームサーバーに送信する取消要求送信モジュールと、
前記アラームサーバーから戻される取消成功情報を受信する第２受信モジュールとを、
をさらに備えることを特徴とする請求項３０に記載のイベントリマインド装置。
【請求項３３】
有線又は無線ネットワークを介して認証サーバーとクライアント端末と接続され、請求項１７から請求項２４のいずれかに記載のイベントリマインド装置を含むアラームサーバーと、
有線又は無線ネットワークを介して前記アラームサーバーと接続され、請求項２５から請求項２９の何れかに記載のイベントリマインド装置を含む認証サーバーと、
有線又は無線ネットワークを介して前記アラームサーバーと接続され、請求項３０から請求項３２の何れかに記載のイベントリマインド装置を含むクライアント端末と、
を備えることを特徴とするイベントリマインドシステム。
【請求項３４】
プロセッサに実行されることにより、請求項1から請求項１６のいずれかに記載のイベントリマインド方法を実現することを特徴とするプログラム。
【請求項３５】
請求項３４に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、インターネット技術分野に関わり、特にイベントリマインド方法、装置、システム、プログラム及び記録媒体に関わる。
【背景技術】
【０００２】
ユーザの生活リズムが速くなることに伴い、ユーザが毎日処理すべき事件が多くなってきた。従って、ユーザにリマインド機能を提供できるアラームは、だんだん端末における極めて重要な機能の一つになってきた。
【０００３】
実際の適用において、ユーザはアラームを設定することにより、事件をタイムリー(適時に)処理するよう自分にリマインドすることができる。例えば、ユーザは、午後三時に会議がある場合、アラームを「２:４０」に設定することにより定刻に参加できるようにリマインドし、正常に出勤する必要がある場合、朝起きるためのアラームを設定することによりタイムリーに起きられるよう自分にリマインドすることができる。
【０００４】
本発明が完成する過程において、関連技術に少なくとも以下の問題が存在することに気づいた。
【０００５】
例えば、ユーザの会社からある日に正常より１時間早く出勤するように要求された場合等のような特殊事情には、ユーザが前に設定した起きるためのアラームはもはや適用されない。この場合、タイムリーに出勤するために、ユーザはアラームの設定を変更する必要があり、ユーザがアラームの設定を変更することを忘れてしまう場合、ユーザはタイムリーなアラームリマインドを受信することができなくなり、関連事件を遅延処理したり、さらに処理を忘れてしまうことになる。
【発明の概要】
【０００６】
関連技術において、個別的なイベントが発生した場合に、ユーザが個別的なイベントに対してアラーム設定する必要があり、アラームの設定を忘れてしまって重要なイベントを逃がしてしまい、イベントの通知の発行が遅すぎユーザがイベントリマインドを設定することに間に合わなくなる等の問題を解決するために、本発明は、イベントリマインド方法、装置及びシステムを提供する。この技術的解決策は、以下のようだ。
【０００７】
本発明の実施形態の第１局面において、同時に少なくとも二つのクライアント端末にイベントリマインドサービスを提供するアラームチャネルからリマインドイベントを取得するステップと、前記アラームチャネルにおける、当該アラームチャネルを購読した各クライアント端末が含まれる購読リストを取得するステップと、前記各クライアント端末が前記リマインドイベントに基づきイベントリマインドを発信するように指示するための前記リマインドイベントを、前記購読リストにおける各クライアント端末に送信するステップと、を含むことを特徴とするイベントリマインド方法を提供する。
【０００８】
好ましくは、前記リマインドイベントを前記購読リストにおける各クライアント端末に送信するステップは、リマインドのタイミングとリマインドの内容を含む前記リマインドイベントを、前記各クライアント端末に送信する。
【０００９】
好ましくは、リマインドのタイミングとリマインドの内容を含む前記リマインドイベントを、前記各クライアント端末に送信するステップは、前記各クライアント端末に対して、前記クライアント端末と通信するネットワーク条件が予め設定された条件よりよいか否かを検出するステップと、前記クライアント端末と通信するネットワーク条件が予め設定された条件よりよい場合、リマインドのタイミングと、リマインドの内容と、リマインド方式とを含む前記リマインドイベントを前記クライアント端末に送信するステップとを含み、前記リマインド方式はリマインド回数、リマインドベル音及びリマインド画面における少なくとも一つを含む。
【００１０】
好ましくは、前記リマインドベル音は、前記リマインドイベントに対応するベル音を含み、及び/又は、前記リマインド画面は、前記クライアント端末が前記リマインドイベントに応答するようにガイドする操作の入口を含む。
【００１１】
好ましくは、認証サーバーから送信される前記アラームチャネルを開通するための開通申し込みを受信するステップと、前記認証サーバーが前記アラームチャネルを開通する権限を有するか否かを検出するステップと、前記認証サーバーが前記アラームチャネルを開通する権限を有する場合、前記アラームチャネルを開通し、開通成功情報を前記認証サーバーに戻すステップと、をさらに含む。
【００１２】
好ましくは、第１クライアント端末から送信される前記アラームチャネルを購読するための購読要求を受信するステップと、前記第１クライアント端末が前記アラームチャネルを購読する購読権限を有するか否かを検出するステップと、前記第１クライアント端末が前記アラームチャネルを購読する購読権限を有する場合、前記第１クライアント端末を前記購読リストに追加し、購読成功情報を前記第１クライアント端末に戻すステップと、をさらに含む。
【００１３】
好ましくは、前記第１クライアント端末が前記アラームチャネルを購読する購読権限を有するか否かを検出するステップは、前記第１クライアント端末の身元IDを前記アラームチャネルと対応する認証サーバーに送信するステップと、前記認証サーバーが前記身元IDに基づき前記第１クライアント端末に対して認証を行って認証成功された場合、前記認証サーバーから戻される認証成功情報を受信するステップと、をさらに含み、認証成功情報は前記第１クライアント端末が前記アラームチャネルを購読する購読権限を有することを意味する。
【００１４】
好ましくは、第２クライアント端末から送信される前記アラームチャネルの購読を取り消すための取消要求を受信するステップと、前記購読リストにおける前記第２クライアント端末を削除し、取消成功情報を前記第２クライアント端末に戻すステップと、をさらに含む。
【００１５】
本発明の実施例の第２局面において、同時に少なくとも二つのクライアント端末にイベントリマインドサービスを提供するアラームチャネルにリマインドイベントを作成するステップと、アラームサーバーに前記リマインドイベントを送信するステップと、を含み、前記リマインドイベントは、前記アラームサーバーが前記アラームチャネルの購読リストの各クライアント端末に前記リマインドイベントを転送するよう指示するものであり、前記購読リストは、前記アラームチャネルを購読する各クライアント端末を含み、且つ前記リマインドイベントは、前記各クライアント端末が前記リマインドイベントに基づきイベントリマインドを発信するように指示するものであることを特徴とするイベントリマインド方法を提供する。
【００１６】
好ましくは、前記アラームチャネルにリマインドイベントを作成するステップは、前記アラームチャネルにリマインドのタイミングと、リマインドの内容と、リマインド方式とを含む前記リマインドイベントを作成するステップを含み、前記リマインド方式はリマインド回数、リマインドベル音及びリマインド画面における少なくとも一つを含む。
【００１７】
好ましくは、前記リマインドベル音は、前記リマインドイベントに対応するベル音を含み、及び/又は、前記リマインド画面は、前記クライアント端末が前記リマインドイベントに応答するようにガイドする操作の入口を含む。
【００１８】
好ましくは、前記アラームチャネルを開通するための開通申し込みを前記アラームサーバーに送信するステップと、前記アラームサーバーが前記開通申し込みを受信し、前記認証サーバーが前記アラームチャネルを開通する権限を有すると検出され、前記アラームチャネルを開通してから前記アラームサーバーから戻される開通成功情報を受信するステップと、をさらに含む。
【００１９】
好ましくは、前記アラームサーバーから送信される、前記アラームチャネルの購読を要求する第１クライアント端末の身元IDを受信するステップと、前記身元IDに基づき前記第１クライアント端末に対して認証を行うステップと、前記第１クライアント端末に対する認証が成功された場合、前記第１クライアント端末が前記アラームチャネルを購読する購読権限を有することを意味する認証成功情報を前記アラームサーバーに戻すステップと、をさらに含む。
【００２０】
本発明の実施例の第３局面において、アラームサーバーから送信されるリマインドイベントを受信するステップと、前記リマインドイベントに基づきイベントリマインドを発信するステップとを含み、前記リマインドイベントは、同時に少なくとも二つのクライアント端末にイベントリマインドサービスを提供するアラームチャネルから前記アラームサーバーによって取得されるリマインドイベントであり、前記アラームチャネルにおける、前記アラームチャネルを購読する各クライアント端末を含む購読リストを取得してから、前記購読リストにおける各クライアント端末に送信されるリマインドイベントである、ことを特徴とするイベントリマインド方法を提供する。
【００２１】
好ましくは、前記アラームチャネルを購読するための購読要求を前記アラームサーバーに送信するステップと、前記アラームサーバーから戻される購読成功情報を受信するステップと、をさらに含む。
【００２２】
好ましくは、前記アラームチャネルの購読を取り消すための取消要求を前記アラームサーバーに送信するステップと、前記アラームサーバーから戻される取消成功情報を受信するステップと、をさらに含む。
【００２３】
本発明の実施例の第４局面において、同時に少なくとも二つのクライアント端末にイベントリマインドサービスを提供するアラームチャネルにおけるリマインドイベントを取得するイベント取得モジュールと、前記アラームチャネルにおける、前記アラームチャネルを購読した各クライアント端末が含まれる購読リストを取得するリスト取得モジュールと、前記イベント取得モジュールが取得した、前記各クライアント端末が前記リマインドイベントに基づきイベントリマインドを発信するように指示するための前記リマインドイベントを、前記リスト取得モジュールが取得した前記購読リストにおける各クライアント端末に送信するイベント送信モジュールと、を備えることを特徴とするイベントリマインド装置を提供する。
【００２４】
好ましくは、前記イベント送信モジュールは、リマインドのタイミングと、リマインドの内容を含む前記リマインドイベントを前記各クライアント端末に送信する。
【００２５】
好ましくは、前記イベント送信モジュールは、前記各クライアント端末に対して、前記クライアント端末と通信するネットワーク条件が予め設置設定された条件よりよいか否かを検出するネットワーク条件検出ユニットと、前記ネットワーク条件検出ユニットが検出した結果、前記クライアント端末と通信するネットワーク条件が前記予め設定された条件よりよい場合、リマインドのタイミングと、リマインドの内容と、リマインド方式とを含む前記リマインドイベントを前記クライアント端末に送信するイベント送信ユニットとを備え、前記リマインド方式は、リマインド回数、リマインドベル音及びリマインド画面における少なくとも一つを含む。
【００２６】
好ましくは、前記リマインドベル音は、前記リマインドイベントに対応するベル音を含み、及び/又は、前記リマインド画面は、前記クライアント端末が前記リマインドイベントに応答するようにガイドする操作の入口を含む。
【００２７】
好ましくは、認証サーバーから送信される前記アラームチャネルを開通するための開通申し込みを受信する開通申し込み受信モジュールと、前記認証サーバーが前記アラームチャネルを開通する権限を有するか否かを検出する第１検出モジュールと、前記第１検出モジュールが検出した結果、前記認証サーバーが前記アラームチャネルを開通する権限を有する場合、前記アラームチャネルを開通し、開通成功情報を前記認証サーバーに戻すチャネル開通モジュールと、をさらに備える。
【００２８】
好ましくは、第１クライアント端末から送信される前記アラームチャネルを購読するための購読要求を受信する購読要求受信モジュールと、前記第１クライアント端末が前記アラームチャネルを購読する購読権限を有するか否かを検出する第２検出モジュールと、前記第２検出モジュールが検出した結果、前記第１クライアント端末が前記アラームチャネルを購読する購読権限を有する場合、前記第１クライアント端末を前記購読リストに追加し、購読成功情報を前記第１クライアント端末に戻すクライアント端末追加モジュールと、をさらに備える。
【００２９】
好ましくは、前記第２検出モジュールは、前記第１クライアント端末の身元IDを前記アラームチャネルに対応する認証サーバーに送信するID送信ユニットと、前記認証サーバーが前記身元IDに基づいて前記第１クライアント端末に対して認証を行って認証後に、前記認証サーバーから戻される認証成功情報を受信する情報受信ユニットと、を備え、前記認証成功情報は、前記第１クライアント端末が前記アラームチャネルを購読する購読権限を有することを意味する。
【００３０】
好ましくは、第２クライアント端末から送信される前記アラームチャネルの購読を取り消すための取消要求を受信する取消要求受信モジュールと、前記購読リストにおける前記第２クライアント端末を削除し、取消成功情報を前記第２クライアント端末に戻すクライアント端末削除モジュールと、をさらに備える。
【００３１】
本発明の実施例の第５局面において、同時に少なくとも二つのクライアント端末にイベントリマインドサービスを提供するアラームチャネルにリマインドイベントを作成するイベント作成モジュールと、前記イベント作成モジュールが作成した前記リマインドイベントをアラームサーバーに送信するイベント送信モジュールとを備え、前記リマインドイベントは、前記アラームサーバーが前記リマインドイベントを、前記アラームチャネルの購読リストにおける各クライアント端末に転送するように指示するためのものであり、前記購読リストは、前記アラームチャネルを購読した各クライアント端末を含み、且つ前記リマインドイベントは、前記各クライアント端末が前記リマインドイベントに基づきイベントリマインドを発信するように指示するためのものであることを特徴とするイベントリマインド装置を提供する。
【００３２】
好ましくは、前記イベント作成モジュールは、前記アラームチャネルに、リマインドのタイミングと、リマインドの内容と、リマインド方式とを含む前記リマインドイベントを作成し、前記リマインド方式は、リマインド回数と、リマインドベル音と、リマインド画面とにおける少なくとも一つを含む。
【００３３】
好ましくは、前記リマインドベル音は、前記リマインドイベントに対応するベル音を含み、及び/又は、前記リマインド画面は、前記クライアント端末が前記リマインドイベントに応答するようにガイドする操作の入口を含む。
【００３４】
好ましくは、前記アラームチャネルを開通するための開通申し込みを前記アラームサーバーに送信する開通申し込み送信モジュールと、前記アラームサーバーが前記開通申し込みを受信し、前記認証サーバーが前記アラームチャネルを開通する権限を有すると検出され、前記アラームチャネルを開通してから前記アラームサーバーから戻される開通成功情報を受信する情報受信モジュールと、をさらに備える。
【００３５】
好ましくは、前記アラームサーバーから送信される、前記アラームチャネルの購読を要求する第１クライアント端末の身元IDを受信するID受信モジュールと、前記ID受信モジュールが受信した前記身元IDに基づいて、前記第１クライアント端末に対して認証を行うクライアント端末認証モジュールと、前記クライアント端末認証モジュールの前記第１クライアント端末に対する認証が成功された場合に、前記第１クライアント端末が前記アラームチャネルを購読する購読権限を有することを意味する認証成功情報を前記アラームサーバーに戻す情報戻しモジュールと、をさらに備える。
【００３６】
本発明の実施例の第６局面において、アラームサーバーから送信されるリマインドイベントを受信するイベント受信モジュールと、前記リマインドイベントに基づきイベントリマインドを発信するリマインド発信モジュールとを備え、前記リマインドイベントは、同時に少なくとも二つのクライアント端末にイベントリマインドサービスを提供するアラームチャネルから前記アラームサーバーによって取得されるリマインドイベントであり、前記アラームチャネルにおける、前記アラームチャネルを購読する各クライアント端末を含む購読リストを取得してから、前記購読リストにおける各クライアント端末に送信されるリマインドイベントであることを特徴とするイベントリマインド装置を提供する。
【００３７】
好ましくは、前記アラームチャネルを購読するための購読要求を前記アラームサーバーに送信する購読要求送信モジュールと、前記アラームサーバーから戻される購読成功情報を受信する第１受信モジュールと、をさらに備える。
【００３８】
好ましくは、前記アラームチャネルの購読を取り消すための取消要求を前記アラームサーバーに送信する取消要求送信モジュールと、前記アラームサーバーから戻される取消成功情報を受信する第２受信モジュールとを、をさらに備える。
【００３９】
本発明の実施例の第７局面において、有線又は無線ネットワークを介して認証サーバーとクライアント端末と接続され、前記第４局面およびその様々な実施形態のイベントリマインド装置を含むアラームサーバーと、有線又は無線ネットワークを介して前記アラームサーバーと接続され、前記第５局面およびその様々な実施形態のイベントリマインド装置を含む認証サーバーと、有線又は無線ネットワークを介して前記アラームサーバーと接続され、前記第６局面およびその様々な実施形態のイベントリマインド装置を含むクライアント端末と、を備えることを特徴とするイベントリマインドシステムを提供する。
【００４０】
本発明の実施例の第８局面において、プロセッサに実行されることにより、上記のイベントリマインド方法を実現することを特徴とするプログラムを提供する。
【００４１】
本発明の実施例の第９局面において、プログラムが記録された記録媒体を提供する。
【００４２】
本願の実施例が提供する技術的解決策は、以下のような有利な効果がある。
【００４３】
同時に少なくとも二つのクライアント端末にイベントリマインドサービスを提供するアラームチャネルにおけるリマインドイベントを取得し、アラームチャネルの、アラームチャネルを購読した各クライアント端末が含まれる購読リストを取得し、さらに、各クライアント端末がリマインドイベントに基づくイベントリマインドを発信するように指示することに使用されるリマインドイベントを、購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００４４】
以上の一般的な記載と後の詳細な記載は、単に例示的なもので、本発明を限定するものではない。
【図面の簡単な説明】
【００４５】
ここで示す図面は明細書に組み込まれ明細書の一部として構成し、本発明に適合される実施例を示し、明細書とともに本発明の原理の解釈に用いられる。
【００４６】
【図１】一部の例示的な実施例に示されるイベントリマインド方法に係る実施環境の模式図である。
【図２】例示的な実施例に示されるイベントリマインド方法のフローチャートである。
【図３】他の例示的な実施例に示されるイベントリマインド方法のフローチャートである。
【図４】また他の例示的な実施例に示されるイベントリマインド方法のフローチャートである。
【図５】また他の例示的な実施例に示されるイベントリマインド方法のフローチャートである。
【図６Ａ】また他の例示的な実施例に示されるイベントリマインド方法のフローチャートである。
【図６Ｂ】また他の例示的な実施例に示される認証サーバーがアラームチャネルを開通することを要求する際の表示模式図である。
【図６Ｃ】また他の例示的な実施例に示されるクライアント端末におけるアラームがリマインダーを行う際の表示模式図である。
【図６Ｄ】また他の例示的な実施例に示されるイベントリマインド方法のフローチャートである。
【図６Ｅ】また他の例示的な実施例に示されるクライアント端末がアラームチャネルの購読を要求する際の表示模式図である。
【図６Ｆ】また他の例示的な実施例に示されるイベントリマインド方法のフローチャートである。
【図６Ｇ】また他の例示的な実施例に示されるクライアント端末がアラームチャネルの購読を取り消す際の表示模式図である。
【図７】例示的な実施例に示されるイベントリマインド装置の模式図である。
【図８】他の例示的な実施例に示されるイベントリマインド装置の模式図である。
【図９】例示的な実施例に示されるイベントリマインド装置の模式図である。
【図１０】他の例示的な実施例に示されるイベントリマインド装置の模式図である。
【図１１】例示的な実施例に示されるイベントリマインド装置の模式図である。
【図１２】他の例示的な実施例に示されるイベントリマインド装置の模式図である。
【図１３】例示的な実施例に示されるサーバーの模式図である。
【図１４】例示的な実施例に示されるイベントリマインドに用いられる装置の模式図である。
【発明を実施するための形態】
【００４７】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００４８】
図１は、一部の例示的な実施例に示されるイベントリマインド方法に係る実施環境の模式図である。図１に示すように、この実施環境は、認証サーバー１１０と、アラームサーバー１２０と、クライアント端末１３０とを含んでよい。
【００４９】
認証サーバー１１０は、有線又は無線ネットワークを介してアラームサーバー１２０に接続され、さらに、アラームサーバー１２０にアラームチャネルを作成することを要求し、アラームチャネルにおけるリマインドイベントをアラームサーバー１２０に送信する。実際に実現する際に、認証サーバーは、アラームチャネルを購読する各クライアント端末について身元の認証を行う。
【００５０】
アラームサーバー１２０は、有線又は無線ネットワークを介してそれぞれ認証サーバー１１０及びクライアント端末１３０に接続される。アラームサーバー１２０は、認証サーバー１１０から要求されたアラームチャネルを作成し、アラームチャネルにおけるリマインドイベントをこのアラームチャネルを購読した各クライアント端末１３０に送信する。
【００５１】
クライアント端末１３０は、端末において実行される、アラームサービスのプロバイダーから提供されるクライアント端末であり、このクライアント端末１３０は、アラームサーバーから送信された自分が購読したアラームチャネルにおけるリマインドイベントを受信する。
【００５２】
図２は、例示的な実施例に示されるイベントリマインド方法のフローチャートである。図２に示すように、このイベントリマインド方法は、図１に示される実施環境におけるアラームサーバー１２０に用いられ、このイベントリマインド方法は以下のステップを含むことができる。
【００５３】
ステップ２０１で、アラームチャネルにおけるリマインドイベントを取得する。
【００５４】
ここで、アラームチャネルは、同時に少なくとも二つのクライアント端末にイベントリマインドサービスを提供する。
【００５５】
ステップ２０２で、アラームチャネルの購読リストを取得する。
【００５６】
ここで、購読リストには、アラームチャネルを購読する各クライアント端末が含まれる。
【００５７】
ステップ２０３で、リマインドイベントを購読リストにおける各クライアント端末に送信する。
【００５８】
ここで、リマインドイベントは、各クライアント端末がリマインドイベントに基づくイベントリマインドを発信するように指示することに使用される。
【００５９】
前記のように、本実施例に提供されるイベントリマインド方法において、同時に少なくとも二つのクライアント端末にイベントリマインドサービスを提供するアラームチャネルにおけるリマインドイベントを取得し、アラームチャネルにおける、アラームチャネルを購読した各クライアント端末が含まれる購読リストを取得し、さらに、各クライアント端末がリマインドイベントに基づくイベントリマインドを発信するように指示するためのリマインドイベントを、購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００６０】
図３は、他の例示的な実施例に示されるイベントリマインド方法のフローチャートである。図３に示すように、このイベントリマインド方法は図１に示される実施環境における認証サーバー１１０に用いられ、このイベントリマインド方法は、以下のステップを含むことができる。
【００６１】
ステップ３０１で、アラームチャネルにリマインドイベントを作成する。
ここで、アラームチャネルは、同時に少なくとも二つのクライアント端末にイベントリマインドサービスを提供する。
【００６２】
ステップ３０２で、リマインドイベントをアラームサーバーに送信し、リマインドイベントは、アラームサーバーがリマインドイベントをアラームチャネルの購読リストにおける各クライアント端末に転送するように指示することに使用される。
【００６３】
ここで、購読リストには、アラームチャネルを購読する各クライアント端末が含まれ、リマインドイベントは、各クライアント端末がリマインドイベントに基づくイベントリマインドを発信するように指示することに使用される。
【００６４】
前記のように、本実施例に提供されるイベントリマインド方法において、同時に少なくとも二つのクライアント端末にイベントリマインドサービスを提供するアラームチャネルにリマインドイベントを作成し、アラームサーバーがリマインドイベントをアラームチャネルの購読リストにおける各クライアント端末に転送するように指示するためのリマインドイベントをアラームサーバーに送信し、購読リストは、アラームチャネルを購読する各クライアント端末を含み、リマインドイベントは、各クライアント端末がリマインドイベントに基づくイベントリマインドを発信するように指示することに使用される。従って、関連技術において、ユーザが個別的なイベントに対してアラームを設定する必要があり、アラーム設定を忘れてしまって重要な仕事を逃がしてしまい、イベント通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００６５】
図４は、また他の例示的な実施例に示されるイベントリマインド方法のフローチャートであり、図３に示すように、このイベントリマインド方法は、図１に示される実施環境におけるクライアント端末１３０に用いられ、このイベントリマインド方法は以下のステップを含んむことができる。
【００６６】
ステップ４０１で、アラームサーバーから送信されるリマインドイベントを受信する。
【００６７】
ここで、リマインドイベントは、アラームチャネルにおける、アラームサーバーによって取得されるリマインドイベントであり、かつアラームチャネルの購読リストを取得してから購読リストにおける各クライアント端末に送信されるイベントである。アラームチャネルは、同時に少なくとも二つのクライアント端末にイベントリマインドサービスを提供する。購読リストには、アラームチャネルを購読する各クライアント端末が含まれる。
【００６８】
ステップ４０２で、リマインドイベントに基づいてイベントリマインドを発信する。
【００６９】
前記のように、本実施例に提供されるイベントリマインド方法は、アラームサーバーから送信されるリマインドイベントを受信し、リマインドイベントに基づいてイベントリマインドを発信する。リマインドイベントは、アラームチャネルにおける、アラームサーバーによって取得されるリマインドイベントであり、かつアラームチャネルの購読リストを取得してから購読リストにおける各クライアント端末に送信されるイベントであり、アラームチャネルは、同時に少なくとも二つのクライアント端末にイベントリマインドサービスを提供し、購読リストには、アラームチャネルを購読する各クライアント端末が含まれる。従って、関連技術において、ユーザが個別的なイベントに対してアラームを設定する必要があり、アラーム設定を忘れてしまって重要な仕事を逃がしてしまい、イベント通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００７０】
図５は、また他の例示的な実施例に示されるイベントリマインド方法のフローチャートであり、図５に示すように、このイベントリマインド方法は図１に示される実施環境に用いられ、このイベントリマインド方法は以下のステップを含むことができる。
【００７１】
ステップ５０１で、認証サーバーは、アラームチャネルにリマインドイベントを作成する。
【００７２】
認証サーバーは、自身のアラームチャネルにリマインドイベントが作成できる。ここで、リマインドイベントは、リマインドのタイミングと、リマインドの内容を含み、アラームチャネルは、同時に少なくとも二つのクライアント端末にイベントリマインドサービスを提供する。
【００７３】
例えば、ある会社の正常な出勤時間は朝の１０時であり、３月１８日に特別な情況があって社員が朝８時３０分に出勤することを要求する場合、社員が定刻に出勤するようにリマインドするために、会社の管理者は会社のアラームチャネルに３月１８日に朝８時３０分に出勤するリマインドイベントが作成できる。
【００７４】
ステップ５０２で、認証サーバーはリマインドイベントをアラームサーバーに送信する。
【００７５】
ここで、リマインドイベントは、アラームサーバーがリマインドイベントをアラームチャネルの購読リストにおける各クライアント端末に転送するように指示すること使用され、購読リストは、アラームチャネルを購読する各クライアント端末を含む。
【００７６】
ステップ５０３で、アラームサーバーは、アラームチャネルにおけるリマインドイベントを取得する。
【００７７】
ステップ５０４で、アラームサーバーは、アラームチャネルの購読リストを取得する。
【００７８】
アラームサーバーが、アラームチャネルにおけるリマインドイベントを取得してから、アラームサーバーはアラームチャネルの購読リストが取得できる。実際の実現において、アラームサーバーは、リマインドイベントにおけるアラームチャネルのチャネルIＤに基づいて、このアラームチャネルを購読した購読リストが取得できる。
【００７９】
例えば、アラームチャネルはある会社のアラームチャネルであり、アラームサーバーは、このアラームチャネルのチャネルIＤに基づいて、このアラームチャネルを購読した会社の全部メンバーの含まれるメンバーリストが取得できる。
【００８０】
ステップ５０５で、アラームサーバーは、リマインドイベントを購読リストにおける各クライアント端末に送信する。
【００８１】
アラームサーバーは、購読リストを取得してから、購読リストにおける各クライアント端末に新たなリマインドイベントが存在することを通知し、さらに各クライアント端末にリマインダーを行うために、アラームサーバーはリマインドイベントを購読リストにおける各クライアント端末に送信することができる。ここで、リマインドイベントは、各クライアント端末がリマインドイベントに基づいてイベントリマインドを発信するように指示することに使用される。
【００８２】
ステップ５０６で、各クライアント端末は、アラームサーバーから送信されるリマインドイベントを受信する。
【００８３】
それに対応して、アラームチャネルを購読した各クライアント端末は、アラームサーバーから送信されるリマインドイベントが受信できる。
【００８４】
ステップ５０７で、各クライアント端末は、リマインドイベントに基づいてイベントリマインドを発信する。
【００８５】
クライアント端末は、リマインドイベントを受信した後、リマインドイベントに基づいてイベントリマインドを発信する。例えば、リマインドイベントにおけるリマインドのタイミングが到来すると、クライアント端末は、ベル音又は振動を通じてリマインドを発信する。
【００８６】
実際の実現において、クライアント端末は、使用の必要に応じてリマインドイベントにおけるリマインドのタイミングを選択的に変更する。例えば、社員の用いているクライアント端末が、３月１８日の朝８時３０分に出勤するリマインドイベントを受信した場合、８時３０分に定刻に会社に到着するために、ユーザはリマインドイベントにおけるリマインドのタイミングを朝７時３０分に変更することにより、３月１８日の朝７時３０分になると、クライアント端末のアラームはユーザが早く起きて定刻に出勤するようにリマインドする。
【００８７】
実際の実現において、クライアント端末はリマインドイベントにおけるリマインドのタイミングを変更しなくてもよい。例えば、ある製作社は、最新のドラマ「X夫」のある動画サイトにおける視聴率を高めるために、動画サイトのアラームチャネルを介してリマインドイベントをユーザに送信することにより、ユーザが視聴するようにリマインドすることができ、この動画サイトのアラームチャネルを購読した各クライアント端末は、晩８時に「X夫」の更新があるリマインドイベントを受信して、毎晩８時ごとにクライアント端末には「X夫」の更新があるアラームリマインダーがあって、最新のドラマを速やかに視聴できない問題を回避した。
【００８８】
本実施例の第１の可能な応用のシーンにおいて、会社の管理者は会社のアラームチャネルにリマインドイベントを作成し、アラームサーバーからリマインドイベントを社員に送信して、各社員があるイベントをタイムリー処理するようにリマインドできる。例えば、会社の管理者が、３月２２日の朝９時に会社の前に集合して探春に行くリマインドイベントを作成すると、相応的に、社員はアラームサーバーから送信されるこのリマインドイベントが受信でき、定刻に集合地に到着することができる。
【００８９】
本実施例の第２の可能な応用のシーンにおいて、ドラマの製作社はドラマの視聴率を高めるために、動画サイトのアラームチャネルを介して各クライアント端末にドラマの更新のリマインドを送信し、ユーザが視聴するようにリマインドする。例えば、毎晩８時に「X夫」が２話更新されるリマインドイベントを作成し、アラームサーバーからリマインドイベントを各クライアント端末に送信して、各クライアント端末はリマインドイベントのリマインドによって、最新のドラマが定刻に視聴でき、ユーザが更新のことを知らなくて視聴できなく視聴率が低減されることを回避すると共に、各クライアント端末にリマインドイベントを送信することは、ユーザが速やかに最新のドラマを視聴できない問題を回避し、ユーザの体験を向上させた。
【００９０】
本実施例の第３の可能な応用のシーンにおいて、各旅行者が祝日期間の交通チケットをより便利に手に入れるようにするため、鉄道交通機関はチケット売り関連のリマインドイベントを作成することができる。例えば、鉄道交通機関が「毎日午後３時にチケットを売る」ことのリマインドイベントを作成すると、相応的に、クライアント端末はアラームサーバーから送信されるリマインドイベントを受信し、リマインドイベントのリマインドによって、チケット売りサイトに定刻にアクセスしてチケットを購入することができる。実際の実現において、サイトからチケットを売る際に、多いユーザが同時にサイトをアクセスすることによりシステムがダウンされることを回避するために、クライアント端末はリマインドイベントを受信してから、リマインドイベントにおけるリマインドのタイミングを早めて、変更後のリマインドイベントのリマインドによって、サイトを前倒しアクセスすることができるが、本実施例にてこれに対して限定しない。
【００９１】
本実施例の第４の可能な応用のシーンにおいて、ショッピングサイトはアラームチャネルにリマインドイベントを作成し、アラームサーバーからリマインドイベントを各クライアント端末に送信する。例えば、ショッピングサイトが３月２０日の正午１２時に家電秒殺のイベントを開催する場合、ショッピングサイトの管理者は、アラームチャネルに「３月２０日の正午１２時に家電秒殺」ことのリマインドイベントが作成でき、アラームサーバーからこのリマインドイベントを各クライアント端末に送信し、クライアント端末はリマインドイベントを受信した後、リマインドのタイミングが到来すると、クライアント端末にはアラームリマインドを発して、ユーザが秒殺機会を逃がしてしまう問題を回避した。
【００９２】
ここで、前記いくつかの応用シーンは、単に本実施例の一例であり、実際の実現において、異なる利用の必要に応じて前記リマインドイベントの送信方法を他の応用シーンに適用でき、本実施例は、ここで一々説明しなく、本実施例にてこれに対して限定しない。
【００９３】
前記のように、本実施例に提供されるイベントリマインド方法は、同時に少なくとも二つのクライアント端末にイベントリマインドサービスを提供するアラームチャネルからリマインドイベントを取得し、アラームチャネルを購読する各クライアント端末が含まれるアラームチャネルの購読リストを取得し、各クライアント端末がリマインドイベントに基づいてイベントリマインドを発信するように指示するためのリマインドイベントを購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベント通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【００９４】
図６Ａは、例示的な実施例に示されるイベントリマインド方法のフローチャートであり、図６Ａに示すように、このイベントリマインド方法は図１に示される実施環境に用いられ、このイベントリマインド方法は以下のステップを含むことができる。
【００９５】
ステップ６０１で、認証サーバーは、アラームチャネルを開通するための開通申し込みをアラームサーバーに送信する。
【００９６】
認証サーバーは、アラームサーバーが提供するアラームサービスを使用する必要がある場合、アラームチャネルを開通するための開通申し込みをアラームサーバーに送信してもよい。ここで、アラームチャネルは、同時に少なくとも二つのクライアント端末にイベントリマインドサービスを提供する。
【００９７】
実際の実現において、認証サーバーは、アラームサーバーが提供するアラームチャネルの開通申し込み画面をアクセスして、申し込み画面に関連情報を書き込んでから提出ボタンをクリックし、アラームサーバーに開通申し込みを送信する。例えば、認証サーバーは、図６Ｂに示される申し込み画面をアクセスし、申し込み画面に関連情報を入力してから、アラームチャネルを開通するための開通申し込みをアラームサーバーに送信する。
【００９８】
ステップ６０２で、アラームサーバーは認証サーバーから送信されるアラームチャネルを開通するための開通申し込みを受信する。
【００９９】
ステップ６０３で、アラームサーバーは、認証サーバーがアラームチャネルを開通する権限を有するか否かを検出する。
【０１００】
例えば、アラームサーバーは、受信された認証サーバーが提出した申し込み画面における関連情報に対して審査を行い、審査に成功される場合、認証サーバーがアラームチャネルを開通する開通権限を有すると確定し、審査に成功されない場合、認証サーバーがアラームチャネルを開通する開通権限を有していないと確定する。
【０１０１】
ここで、アラームサーバーが情報を審査するステップは、申し込み画面に入力されたメールアドレス及びパスワードがマッチングするか否かを検出し、マッチングされると、開通権限を有すると確定し、マッチングされないと、開通権限を有していないと確定する。実際の実現において、アラームサーバーは開通しようとするアラームチャネルの種類が適合するか否かを検出してもよく、本実施例にてこれに対して限定しない。
【０１０２】
ここで、本実施例は単に前記の方法を利用してアラームチャネルを開通することを要求する一例に過ぎない、実際の実現において、他の開通方法がある可能性もあり、本実施例にてこれに対して限定しない。本実施例にて、アラームチャネルの開通を申し込むことに必要になる情報の内容に対しても限定しなく、異なる情報の内容に対して、アラームサーバーが認証サーバーに対してアラームチャネルを開通する権限を有するか否かを検出する方法が異ってもよいが、本実施例にてこれに対しても限定しない。
【０１０３】
ステップ６０４で、アラームサーバーが検出した結果、認証サーバーがアラームチャネルを開通する権限を有する場合、アラームチャネルを開通し、開通成功の情報を認証サーバーに戻させる。
【０１０４】
アラームサーバーが検出した結果、認証サーバーがアラームチャネルを開通する権限を有する場合、アラームサーバーはアラームチャネルを開通し、開通成功の情報を認証サーバーに戻させる。実際の実現において、アラームサーバーはアラームチャネルにチャネルIＤを割り当てることにより、このアラームチャネルを認識する。
【０１０５】
アラームサーバーが検出した結果、認証サーバーがアラームチャネルを開通する権限を有していない場合、フローは終了する。
【０１０６】
ステップ６０５で、認証サーバーはアラームサーバーから戻される開通成功情報を受信する。
【０１０７】
ここで、開通成功情報は、アラームサーバーが開通申し込みを受信した後、認証サーバーがアラームチャネルの開通権限を有すると検出され、アラームチャネルを開通してから戻される情報である。
【０１０８】
ステップ６０６で、認証サーバーは、アラームチャネルにリマインドイベントを作成する。
【０１０９】
認証サーバーが開通成功情報を受信した場合、アラームチャネルの開通が成功されたことを意味し、その後認証サーバーはアラームチャネルにリマインドイベントが作成できる。ここで、リマインドイベントは、リマインドのタイミング及びリマインドの内容を含む。
【０１１０】
実際の実現において、認証サーバーがリマインドイベントを作成する方法として、アラームチャネルに、リマインドのタイミングと、リマインドの内容と、リマインド方式とを含むリマインドイベントを作成する方法を含んでもよい。ここで、リマインド方式は、リマインド回数、リマインドベル音及びリマインド画面における少なくとも一つを含む。また、リマインドベル音はアラームサーバーに設定されたデフォルトのベル音であってもよく、リマインドイベントに対応する個性化のベル音であってもよい。例えば、ショッピングサイトにリマインドイベントを作成する場合、作成したリマインドイベントにおけるリマインドベル音はサイトの広告ビデオであってもよい。リマインド画面は、各クライアント端末がリマインドイベントに応答するようにガイドする操作の入口であってもよい。例えば、ショッピングサイトにリマインドイベントを作成する場合、作成したリマインド画面は購入入口又は秒殺（SecKill）入口を含んでもよく、動画サイトにリマインドイベントを作成する場合、作成したリマインド画面は視聴のための入口であってもよい。
【０１１１】
例えば、リマインド方式がリマインド回数と、リマインドベル音と、リマインド画面とを含むことを例として、ショッピングサイトの管理者が認証サーバーを利用して秒殺（SecKill）イベントをリマインドするリマインドイベントを作成する場合、認証サーバーは、リマインドのタイミングが３月２０日の正午１２時であり、リマインドの内容は家電秒殺（SecKill）であり、リマインド方式におけるリマインド回数は３回、リマインドベル音はサイトの広告ビデオであり、リマインド画面は秒殺（SecKill）入口であるリマインドイベントを生成してもよい。
【０１１２】
ステップ６０７で、認証サーバーはリマインドイベントをアラームサーバーに送信する。
【０１１３】
認証サーバーは、リマインドイベントを作成してから、リマインドイベントをアラームサーバーに送信する。ここで、リマインドイベントは、アラームサーバーがリマインドイベントをアラームチャネルの購読リストにおける各クライアント端末に転送するように指示することに使用される。
【０１１４】
ステップ６０８で、アラームサーバーは、アラームチャネルにおけるリマインドイベントを取得する。
【０１１５】
ステップ６０９で、アラームサーバーは、アラームチャネルの購読リストを取得する。
【０１１６】
アラームサーバーは、アラームチャネルにおけるリマインドイベントを取得してから、アラームチャネルの購読リストが取得でき、購読リストにはアラームチャネルを購読する各クライアント端末が含まれる。実際の実現において、アラームサーバーは、アラームチャネルのチャネルIＤに基づいて、このアラームチャネルを購読した購読リストを取得する。
【０１１７】
ステップ６１０で、アラームサーバーは、リマインドのタイミングと、リマインドの内容とを含むリマインドイベントを各クライアント端末に送信する。
【０１１８】
アラームサーバーは、アラームチャネルを購読した購読リストを取得してから、リマインドのタイミングと、リマインドの内容とを含むリマインドイベントを各クライアント端末に送信してもよい。ここで、リマインドイベントは、各クライアント端末がリマインドイベントに基づいてイベントリマインドを発信するように指示することに使用される。
【０１１９】
また、実際の実現において、アラームサーバーが、リマインドのタイミングと、リマインドの内容とを含むリマインドイベントを各クライアント端末に送信する方法は、以下の内容を含んでもよい。
【０１２０】
（１）、アラームサーバーは、各クライアント端末に対して、クライアント端末と通信するネットワーク条件が予め設定された条件よりよいか否かを検出する。
【０１２１】
アラームサーバーは、各クライアント端末に対して、クライアント端末と通信するネットワーク条件が予め設定された条件よりよいか否かを検出する。例えば、予め設定された条件が２Ｇ（２-Generation wireless telephone technology、第２世代のテレフォン通信技術）ネットワークを利用して通信することを例として、アラームサーバーは、クライアント端末と通信するネットワークが２Ｇネットワークよりよいか否かを検出する。
【０１２２】
（２）、クライアント端末と通信するネットワーク条件が予め設定された条件よりよい場合、リマインドのタイミングと、リマインドの内容と、リマインド方式とを含むリマインドイベントをクライアント端末に送信する。リマインド方式は、リマインド回数と、リマインドベル音と、リマインド画面における少なくとも一つを含む。
【０１２３】
アラームサーバーが検出した結果、クライアント端末と通信するネットワーク条件が予め設定された条件よりよい場合、現在のネットワーク条件がよいことを意味し、アラームサーバーは、リマインドのタイミングと、リマインドの内容と、リマインド方式とを含むリマインドイベントをクライアント端末に送信してもよい。
【０１２４】
例えば、アラームサーバーはアラームサーバーとクライアント端末が３Ｇネットワークを通じて通信すると検出した場合、３Ｇネットワークのインターネットに接続するスピードが速いので、アラームサーバーは、リマインドのタイミングと、リマインドの内容とリマインド方式とを含むリマインドイベントをクライアント端末に送信できる。
【０１２５】
アラームサーバーが検出した結果、クライアント端末と通信するネットワーク条件が予め設定された条件より悪い場合、アラームサーバーはリマインドのタイミングと、リマインドの内容だけを含むリマインドイベントをクライアント端末に送信する。本実施例にてこれに対して省略する。
【０１２６】
ステップ６１１で、各クライアント端末は、アラームサーバーから送信されるリマインドのタイミングと、リマインドの内容とを含むリマインドイベントを受信する。
【０１２７】
それに対応して、アラームチャネルを購読した各クライアント端末は、アラームサーバーから送信されるリマインドイベントを受信する。
【０１２８】
ステップ６１２で、各クライアント端末は、リマインドイベントに基づいてイベントリマインドを発信する。
【０１２９】
クライアント端末は、リマインドイベントに基づいてイベントリマインドを発信する。例えば、リマインドイベントにおけるリマインドのタイミングが到来すると、クライアント端末は、ベル音又は振動を通じてリマインドを発信する。
【０１３０】
実際の実現において、クライアント端末は、リマインドイベントを受信してから、使用の必要に応じてリマインドイベントにおけるリマインドのタイミングを選択的に変更することができる。例えば、クライアント端末は、１２時に家電秒殺（SecKill）のあるリマインドイベントを受信された場合、ユーザは秒殺（SecKill）の成功率を高めるために、秒殺（SecKill）ページを前倒しアクセスしようとする場合、ユーザはリマインドイベントにおけるリマインドのタイミングを前に５分間移動したタイミングに変更し、即ち１１時５５分にクライアント端末でそのリマインドを発信する。詳細には図６Ｃを参照する。リマインド回数が複数回である場合、クライアント端末は各予定時間にリマインドを発信する。
【０１３１】
前記のように、本実施例に提供されるイベントリマインド方法は、同時に少なくとも二つのクライアント端末にイベントリマインドサービスを提供するアラームチャネルからリマインドイベントを取得し、アラームチャネルを購読する各クライアント端末が含まれるアラームチャネルの購読リストを取得し、各クライアント端末がリマインドイベントに基づいてイベントリマインドを発信するように指示するリマインドイベントを購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１３２】
本実施例におけるリマインドイベントは、さらに、リマインド回数と、リマインドベル音と、リマインド画面とにおける少なくとも一つを含んでもよく、これによって認証サーバーは、クライアント端末へのリマインドの送信を実現すると同時に、リマインドベル音により自己宣伝でき、また、リマインド画面にユーザが応答するようにガイドする操作の入口を設置することにより、ユーザ体験を向上させる。
【０１３３】
ここで、クライアント端末は、認証サーバーが成功的にアラームチャネルを作成した後で、このアラームチャネルを購読することが要求することができ、図６Ｄを参照すると、このイベントリマインド方法は、以下のステップをさらに含んでもよい。
【０１３４】
ステップ６１３で、第１クライアント端末は、アラームチャネルを購読するための購読要求をアラームサーバーに送信する。
【０１３５】
ユーザは、アラームサーバーがアラームチャネルを作成した後、このアラームチャネルを購読することを要求し、即ち、ユーザは、自身の第１クライアント端末を利用してアラームチャネルを購読するための購読要求を送信する。
【０１３６】
ステップ６１４で、アラームサーバーは、第１クライアント端末から送信されるアラームチャネルを購読するための購読要求を受信する。
【０１３７】
これに対応して、アラームサーバーは、第１クライアント端末から送信されるアラームチャネルを購読するための購読要求を受信する。
【０１３８】
例えば、図６Ｅを参照すると、ユーザは第１クライアント端末に表示されるアラームチャネルの画面に対して、購読ボタンをクリックし、第１クライアント端末はクリック信号を受信してから、アラームチャネルを購読するための購読要求を送信する。
【０１３９】
ステップ６１５で、アラームサーバーは、第１クライアント端末がアラームチャネルを購読する購読権限を有するか否かを検出する。
【０１４０】
アラームサーバーは、第１クライアント端末からの購読要求を受信した後で、第１クライアント端末がアラームチャネルを購読する購読権限を有しているか否かを検出する。
【０１４１】
ここで、アラームサーバーが第１クライアント端末がアラームチャネルを購読する購読権限を有しているか否かを検出するステップは、以下のステップを含んでもよい。
【０１４２】
（１）、第１クライアント端末の身元IDをアラームチャネルと対応する認証サーバーに送信する。
【０１４３】
アラームサーバーは、購読要求における第１クライアント端末の身元IDをアラームチャネルと対応する認証サーバーに送信できる。
【０１４４】
例えば、第１クライアント端末が会社Ａのアラームチャネルを購読することを要求する場合、アラームサーバーは購読要求における第１クライアント端末のジョブ番号を会社Ａと対応する認証サーバーに送信する。
【０１４５】
（２）において、認証サーバーはアラームサーバーから送信される第１クライアント端末の身元IDを受信する。
【０１４６】
（３）において、認証サーバーは、身元IDに基づいて第１クライアント端末について認証を行う。
【０１４７】
例えば、認証サーバーは、第１クライアント端末のジョブ番号を受信してから、当社の情報ベースに同じジョブ番号が存在するか否かを検出し、検出した結果、同じジョブ番号が存在する場合、認証サーバーの第１クライアント端末に対する認証が成功されたと見なし、検出した結果、同じジョブ番号が存在していない場合、認証サーバーの第１クライアント端末に対する認証が失敗されたと見なす。実際の実現において、認証サーバーが同時に二つ又は二つ以上のアラームチャネルを作成する場合、各アラームチャネルが異なる使用者に対応すると、認証サーバーはジョブ番号を受信した後、このジョブ番号が予定の条件に適合するか否かを検出する。例えば、このジョブ番号がマネージャランクの社員ジョブ番号であるか否かを検出する。本実施例にてこれに対して限定しない。
【０１４８】
（４）、認証サーバーの第１クライアント端末に対する認証が成功された場合、認証成功情報をアラームサーバーに戻させる。
【０１４９】
認証サーバーの第１クライアント端末に対する認証が成功された場合、第１クライアント端末がアラームチャネルを購読する購読権限を有していることを意味し、その場合、認証サーバーは認証成功情報をアラームサーバーに戻す。ここで、認証成功情報は、第１クライアント端末がアラームチャネルを購読する購読権限を有することを意味する。
【０１５０】
認証サーバーの第１クライアント端末に対する認証が失敗された場合、第１クライアント端末がアラームチャネルを購読する購読権限を有しないことを意味し、この場合、認証サーバーは、認証失敗情報をアラームサーバーに戻す。
【０１５１】
（５）、アラームサーバーは、認証サーバーから戻された認証成功情報を受信する。
【０１５２】
これに対応して、アラームサーバーは、認証サーバーから戻された認証成功情報が受信できる。
【０１５３】
アラームサーバーが認証サーバーから戻された認証失敗情報を受信した場合、フローは終了する。
【０１５４】
ステップ６１６で、アラームサーバーが検出した結果、第１クライアント端末がアラームチャネルを購読する購読権限を有する場合、第１クライアント端末を購読リストに追加し、購読成功情報を第１クライアント端末に戻させる。
【０１５５】
アラームサーバーが検出した結果、第１クライアント端末がアラームチャネルを購読する購読権限を有する場合、アラームサーバーは第１クライアント端末を購読リストに追加できる。また、実際の実現において、第１クライアント端末がアラームチャネルを成功的に購読したことを知らせるために、アラームサーバーは、購読成功情報を第１クライアント端末に送信することができる。本実施例にて省略する。
【０１５６】
ステップ６１７で、第１クライアント端末は、アラームサーバーから戻された購読成功情報を受信する。
【０１５７】
これに対応して、第１クライアント端末は、アラームサーバーから戻された購読成功情報を受信し、また、第１クライアント端末は、購読成功情報を受信した後で、自身がアラームチャネルを成功的に購読したことを知ることができ、この後に、アラームチャネルが提供するイベントリマインドサービスを受けることができる。
【０１５８】
ここで、クライアント端末は、アラームチャネルを購読してから、このアラームチャネルの購読を取り消すことが要求でき、図６Ｆを参照すると、このイベントリマインド方法は以下のステップを含んでもよい。
【０１５９】
ステップ６１８で、第２クライアント端末は、アラームチャネルの購読を取り消すための取消要求をアラームサーバーに送信する。
【０１６０】
アラームチャネルを購読したユーザは、アラームサービスが必要ない場合、ユーザは自身の第２クライアント端末を通じてアラームチャネルの購読を取り消すための取消要求が送信できる。
【０１６１】
例えば、図６Ｇを参照すると、ユーザは、第２クライアント端末に表示されるアラームチャネルを含む表示画面に対して、購読を取り消すボタンをクリックし、第２クライアント端末はクリック信号を受信してから、アラームチャネルの購読を取り消すための取消要求を送信する。
【０１６２】
ステップ６１９で、アラームサーバーは第２クライアント端末から送信されるアラームチャネルの購読を取り消すための取消要求を受信する。
【０１６３】
対応的に、アラームサーバーは、第２クライアント端末から送信されるアラームチャネルの購読を取り消すための取消要求を受信する。
【０１６４】
ステップ６２０で、アラームサーバーは購読リストにおける第２クライアント端末を削除し、取消成功情報を第２クライアント端末に戻させる。
【０１６５】
アラームサーバーは、取消要求を受信してから、購読リストにおける第２クライアント端末を削除し、さらに、アラームチャネルの購読を成功的に取り消したことを第２クライアント端末に知らせるために、アラームサーバーは、取消成功情報を第２クライアント端末に送信してもよい。
【０１６６】
ステップ６２１で、第２クライアント端末は、アラームサーバーから戻される取消成功情報を受信する。
【０１６７】
以下は、本発明の装置の実施例であって、本発明の方法の実施例に利用できる。本発明に公開された装置の実施例に開示されなかった詳細は、本発明に公開された方法の実施例を参照する。
【０１６８】
図７は例示的な実施例に示されるイベントリマインド装置の模式図であり、図７に示すように、このイベントリマインド装置は、図１に示される実施環境におけるアラームサーバー１２０に用いられ、このイベントリマインド装置は、イベント取得モジュール７０１と、リスト取得モジュール７０２と、イベント送信モジュール７０３とを含んでもよいが、これに限定されていない。
【０１６９】
イベント取得モジュール７０１は、アラームチャネルにおけるリマインドイベントを取得するように配置され、前記アラームチャネルは同時に少なくとも二つのクライアント端末にイベントリマインドサービスを提供する。
【０１７０】
リスト取得モジュール７０２は、前記アラームチャネルにおける購読リストを取得するように配置され、前記購読リストには前記アラームチャネルを購読する各クライアント端末が含まれている。
【０１７１】
イベント送信モジュール７０３は、前記イベント取得モジュール７０１が取得した前記リマインドイベントを、前記リスト取得モジュール７０２が取得した前記購読リストにおける各クライアント端末に送信するように構成され、前記リマインドイベントは、前記各クライアント端末が前記リマインドイベントに基づいてイベントリマインドを発信するように指示することに使用される。
【０１７２】
前記のように、本実施例に提供されるイベントリマインド装置は、同時に少なくとも二つのクライアント端末にイベントリマインドサービスを提供するアラームチャネルからリマインドイベントを取得し、アラームチャネルを購読する各クライアント端末が含まれるアラームチャネルの購読リストを取得し、各クライアント端末がリマインドイベントに基づいてイベントリマインドを発信するように指示するリマインドイベントを購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１７３】
図８は例示的な実施例に示されるイベントリマインド装置の模式図であり、図８に示すように、このイベントリマインド装置は、図１に示される実施環境におけるアラームサーバー１２０に用いられ、このイベントリマインド装置は、イベント取得モジュール８０１と、リスト取得モジュール８０２と、イベント送信モジュール８０３とを含んでもよいが、これに限定されていない。
【０１７４】
イベント取得モジュール８０１は、アラームチャネルにおけるリマインドイベントを取得するように構成されている。
【０１７５】
リスト取得モジュール８０２は、前記アラームチャネルにおける購読リストを取得するように構成されている。
【０１７６】
イベント送信モジュール８０３は、前記イベント取得モジュール８０１が取得した前記リマインドイベントを、前記リスト取得モジュール８０２が取得した前記購読リストにおける各クライアント端末に送信するように構成されている。
【０１７７】
本実施例の第１の可能な実施形態において、前記イベント送信モジュール８０３は、リマインドのタイミングと、リマインドの内容とを含む前記リマインドイベントを前記各クライアント端末に送信するように構成されている。
【０１７８】
本実施例の第２の可能な実施形態において、前記イベント送信モジュール８０３は、前記各クライアント端末に対して、前記クライアント端末と通信するネットワーク条件が予め設定された条件よりよいか否かを検出するように構成されるネットワーク条件検出ユニット８０３aと、前記ネットワーク条件検出ユニット８０３aが検出した結果、前記クライアント端末と通信するネットワーク条件が前記予め設定された条件よりよい場合、リマインド回数と、リマインドベル音と、リマインド画面における少なくとも一つをふくむリマインド方式と、リマインドのタイミングと、リマインドの内容とを含む前記リマインドイベントを前記クライアント端末に送信するように構成されているイベント送信ユニット８０３bと、を含む。
【０１７９】
本実施例の第３の可能な実施形態において、前記リマインドベル音は、前記リマインドイベントに対応するベル音を含み、及び/または、前記リマインド画面は、前記クライアントが前記リマインドイベントに応答するようにガイドする操作の入口を含む。
【０１８０】
本実施例の第４の可能な実施形態において、前記装置は、認証サーバーから送信される前記アラームチャネルを開通するための開通申し込みを受信するように構成される開通申し込み受信モジュール８０４と、前記認証サーバーが前記アラームチャネルを開通する権限を有するか否かを検出するように構成される第１検出モジュール８０５と、前記第１検出モジュール８０５が検出した結果、前記認証サーバーが前記アラームチャネルを開通する権限を有する場合、前記アラームチャネルを開通し、開通成功情報を前記認証サーバーに戻すように構成されるチャネル開通モジュール８０６と、をさらに含む。
【０１８１】
本実施例の第５の可能な実施形態において、前記装置は、第１クライアント端末から送信される前記アラームチャネルを購読するための購読要求を受信するように構成される購読要求受信モジュール８０７と、前記第１クライアント端末が前記アラームチャネルを購読する購読権限を有するか否かを検出するように構成される第２検出モジュール８０８と、前記第２検出モジュール８０８が検出した結果、前記第１クライアント端末が前記アラームチャネルを購読する購読権限を有する場合、前記第１クライアント端末を前記購読リストに追加し、購読成功情報を前記第１クライアント端末に戻すように構成されているクライアント端末追加モジュール８０９と、をさらに含む。
【０１８２】
本実施例の第６の可能な実施形態において、前記第２検出モジュール８０８は、前記第１クライアント端末の身元IDを前記アラームチャネルに対応する認証サーバーに送信するように構成されるID送信ユニット８０８aと、前記認証サーバーによる前記身元IDに基づく前記第１クライアント端末に対する認証後に前記認証サーバーから戻される、前記第１クライアント端末が前記アラームチャネルを購読する購読権限を有することを意味する認証成功情報を受信するように構成される情報受信ユニット８０８bと、を含む。
【０１８３】
本実施例の第７の可能な実施形態において、前記装置は、第２クライアント端末から送信される前記アラームチャネルの購読を取り消すための取消要求を受信するように構成される取消要求受信モジュール８１０と、前記購読リストにおける前記第２クライアント端末を削除し、取消成功情報を前記第２クライアント端末に戻すように構成されるクライアント端末削除モジュール８１１と、をさらに含む。
【０１８４】
前記のように、本実施例に提供されるイベントリマインド装置は、同時に少なくとも二つのクライアント端末にイベントリマインドサービスを提供するアラームチャネルからリマインドイベントを取得し、アラームチャネルを購読する各クライアント端末が含まれるアラームチャネルの購読リストを取得し、各クライアント端末がリマインドイベントに基づいてイベントリマインドを送信するように指示するリマインドイベントを購読リストにおける各クライアント端末に送信する。従って、ユーザが自分の端末においてアラーム設定を行う必要がなくなり、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１８５】
図９は他の例示的な実施例に示されるイベントリマインド装置の模式図であり、図９に示すように、このイベントリマインド装置は、図１に示される実施環境における認証サーバー１１０に用いられる。このイベントリマインド装置は、イベント作成モジュール９０１と、イベント送信モジュール９０２とを含んでもよいが、これに限定されていない。
【０１８６】
イベント作成モジュール９０１は、アラームチャネルにリマインドイベントを作成するように構成され、前記アラームチャネルは、同時に少なくとも二つのクライアント端末にイベントリマインドサービスを提供する。
【０１８７】
イベント送信モジュール９０２は、前記イベント作成モジュール９０１が作成した前記リマインドイベントをアラームサーバーに送信するように構成され、前記リマインドイベントは、前記アラームサーバーが前記リマインドイベントを前記アラームチャネルにおける購読リストの各クライアント端末に転送するように指示することに使用され、前記購読リストには、前記アラームチャネルを購読した各クライアント端末が含まれ、前記リマインドイベントは、前記各クライアント端末が前記リマインドイベントに基づきイベントリマインドを発信するように指示することに使用される。
【０１８８】
前記のように、本実施例に提供されるイベントリマインド装置は、同時に少なくとも二つのクライアント端末にイベントリマインドサービスを提供するアラームチャネルにリマインドイベントを作成し、アラームサーバーがリマインドイベントをアラームチャネルの購読リストにおける各クライアント端末に転送するように指示するためのリマインドイベントをアラームサーバーに送信し、購読リストは、アラームチャネルを購読する各クライアント端末が含まれ、リマインドイベントは、各クライアント端末がリマインドイベントに基づいてイベントリマインドを発信するように指示することに使用される。従って、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１８９】
図１０は、他の例示的な実施例に示されるイベントリマインド装置の模式図であり、図１０に示すように、このイベントリマインド装置は、図１に示される実施環境における認証サーバー１１０に用いられる。このイベントリマインド装置は、イベント作成モジュール１００１と、イベント送信モジュール１００２とを含んでもよいが、これに限定されていない。
【０１９０】
イベント作成モジュール１００１は、アラームチャネルにリマインドイベントを作成するように配置される。
【０１９１】
イベント送信モジュール１００２は、前記イベント作成モジュール１００１が作成した前記リマインドイベントをアラームサーバーに送信するように構成され、前記リマインドイベントは、前記アラームサーバーが前記リマインドイベントを前記アラームチャネルにおける購読リストの各クライアント端末に送信するように指示することに使用される。
【０１９２】
本実施例の第１の可能な実施形態において、前記イベント作成モジュール１００１は、前記アラームチャネルに、リマインドのタイミングと、リマインドの内容と、リマインド方式とを含む前記リマインドイベントを作成するように構成され、前記リマインド方式は、リマインド回数と、リマインドベル音と、リマインド画面とにおける少なくとも一つを含む。
【０１９３】
本実施例の第２の可能な実施形態において、前記リマインドベル音は、前記リマインドイベントに対応するベル音を含み、及び/または、前記リマインド画面は、前記クライアント端末が前記リマインドイベントに応答するようにガイドする操作の入口を含む。
【０１９４】
本実施例の第３の可能な実施形態において、前記装置は、前記アラームチャネルを開通するための開通申し込みを前記アラームサーバーに送信するように構成される開通申し込み送信モジュール１００３と、前記アラームサーバーが前記開通申し込みを受信し、前記認証サーバーが前記アラームチャネルを開通する権限を有すると検出され、前記アラームチャネルを開通してから前記アラームサーバーから戻される開通成功情報を受信するように構成される情報受信モジュール１００４と、をさらに含む。
【０１９５】
本実施例の第４の可能な実施形態において、前記装置は、前記アラームサーバーから送信される、前記アラームチャネルの購読を要求する第１クライアント端末の身元IDを受信するように構成されるID受信モジュール１００５と、前記ID受信モジュール１００５が受信した前記身元IDに基づいて、前記第１クライアント端末に対して認証を行うように構成されるクライアント端末認証モジュール１００６と、前記クライアント端末認証モジュール１００６の前記第１クライアント端末に対する認証が成功された場合に、前記第１クライアント端末が前記アラームチャネルを購読する購読権限を有することを意味する認証成功情報を前記アラームサーバーに戻すように構成される情報戻しモジュール１００７と、さらに含む。
【０１９６】
前記のように、本実施例に提供されるイベントリマインド装置は、同時に少なくとも二つのクライアント端末にイベントリマインドサービスを提供するアラームチャネルにリマインドイベントを作成し、アラームサーバーがリマインドイベントをアラームチャネルの購読リストにおける各クライアント端末に転送するように指示することに使用されるリマインドイベントをアラームサーバーに送信し、購読リストは、アラームチャネルを購読する各クライアント端末が含まれ、リマインドイベントは、各クライアント端末がリマインドイベントに基づいてイベントリマインドを発信するように指示することに使用される。従って、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなくなり、アラームリマインドをタイムリーに受信でき、イベントの遅延又は忘れを避ける効果を奏する。
【０１９７】
図１１は、他の例示的な実施例に示されるイベントリマインド装置の模式図であり、図１１に示すように、このイベントリマインド装置は、図１に示される実施環境におけるクライアント端末１３０に用いられる。このイベントリマインド装置は、イベント受信モジュール１１０１と、リマインド発信モジュール１１０２とを含んでもよいが、これに限定されていない。
【０１９８】
イベント受信モジュール１１０１は、アラームサーバーから送信されるリマインドイベントを受信するように構成され、前記リマインドイベントは、前記アラームサーバーによってアラームチャネルから取得されるリマインドイベントであり、前記アラームチャネルにおける購読リストを取得してから、前記購読リストにおける各クライアント端末に送信されたイベントであって、前記アラームチャネルは、同時に少なくとも二つのクライアント端末にイベントリマインドサービスを提供する。前記購読リストは、前記アラームチャネルを購読する各クライアント端末を含む。
【０１９９】
リマインド発信モジュール１１０２は、前記リマインドイベントに基づいてイベントリマインドを発信するように構成されている。
【０２００】
前記のように、本実施例に提供されるイベントリマインド装置は、アラームサーバーから送信されるリマインドイベントを受信し、リマインドイベントに基づいてイベントリマインドを発信する。リマインドイベントは、アラームサーバーによってアラームチャネルから取得されるリマインドイベントであり、かつアラームチャネルの購読リストを取得してから購読リストにおける各クライアント端末に送信されるイベントであり、アラームチャネルは、同時に少なくとも二つのクライアント端末にイベントリマインドサービスを提供し、購読リストには、アラームチャネルを購読する各クライアント端末が含まれる。従って、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなり、アラームリマインドをタイムリーに受信でき、イベントの遅延又は忘れを避ける効果を奏する。
【０２０１】
図１２は、他の例示的な実施例に示されるイベントリマインド装置の模式図で、図１２に示すように、このイベントリマインド装置は、図１に示される実施環境におけるクライアント端末１３０に用いられる。このイベントリマインド装置は、イベント受信モジュール１２０１と、リマインド発信モジュール１２０２とを含んでもよいが、これに限定されていない。
【０２０２】
イベント受信モジュール１２０１は、アラームサーバーから送信されるリマインドイベントを受信するように構成され、前記リマインドイベントは、前記アラームサーバーによってアラームチャネルから取得されるものであり、前記アラームチャネルにおける購読リストを取得してから、前記購読リストにおける各クライアント端末に送信されたイベントであって、前記アラームチャネルは、同時に少なくとも二つのクライアント端末にイベントリマインドサービスを提供する。前記購読リストは前記アラームチャネルを購読する各クライアント端末を含む。
【０２０３】
リマインド発信モジュール１２０２は、前記リマインドイベントに基づいてイベントリマインドを発信するように構成されている。
【０２０４】
本実施例の第１の可能な実施形態において、前記装置は、さらに前記アラームチャネルを購読するための購読要求を前記アラームサーバーに送信するように構成される購読要求送信モジュール１２０３と、前記アラームサーバーから戻される購読成功情報を受信するように構成されている第１受信モジュール１２０４と、を含む。
【０２０５】
本実施例の第２の可能な実施形態において、前記装置は、さらに、前記アラームチャネルの購読を取り消すための取消要求を前記アラームサーバーに送信する取消要求送信モジュール１２０５と、前記アラームサーバーから戻される取消成功情報を受信するように構成される第２受信モジュール１２０６とを含む。
【０２０６】
前記のように、本実施例に提供されるイベントリマインド装置は、アラームサーバーから送信されるリマインドイベントを受信し、リマインドイベントに基づいてイベントリマインドを発信する。リマインドイベントは、アラームサーバーによってアラームチャネルから取得されるリマインドイベントであり、かつアラームチャネルの購読リストを取得してから購読リストにおける各クライアント端末に送信されるイベントであり、アラームチャネルは、同時に少なくとも二つのクライアント端末にイベントリマインドサービスを提供し、購読リストには、アラームチャネルを購読する各クライアント端末が含まれる。従って、関連技術において、ユーザが個別的なイベントに対してアラームを設定する必要があり、アラーム設定を忘れてしまって重要な仕事を逃がしてしまい、イベントの通知の発行が遅すぎユーザがイベントリマインドを設定することに間に合わなくなる等の問題を解決し、ユーザがアラームを手動で設定する必要がなり、アラームリマインドをタイムリーに受信でき、イベントの遅延又は忘れを避ける効果を奏する。
【０２０７】
本実施例は、イベントリマインドシステムを提供し、このイベントリマインドシステムは、アラームサーバーと、認証サーバーと、クライアント端末とを含んでもよい。ここで、アラームサーバーの詳細に関しては、図７又は図８に対応する実施例を参照し、認証サーバーの詳細に関しては、実施例９又は図１０に対応する実施例を参照し、クライアント端末の詳細に関しては、実施例１１又は図１２に対応する実施例を参照し、ここでは省略する。
【０２０８】
前記のように、本実施例に提供されるイベントリマインドシステムは、アラームチャネルにおけるリマインドイベントを取得し、アラームチャネルの購読リストを取得し、リマインドイベントを購読リストにおける各クライアント端末に送信して、ユーザが自分の端末にアラーム設定を行う必要がなくなり、関連技術において、ユーザがアラームリマインドをタイムリーに受信できなく、関連事項を遅延して処理するか、または処理することを忘れてしまう問題を解決し、ユーザがアラームリマインドをタイムリーに受信でき、イベントの遅延又は忘れを回避する効果を奏する。
【０２０９】
ここで、上記の実施例に提供されるイベントリマインド装置は、イベントリマインドを行う場合に、上記各機能モジュールに区画したことで例示的に説明したが、実際上は、必要に応じて、上記機能を異なる機能モジュールに割り当てて実行させてもよく、つまり端末の内部構造を異なる機能モジュールに区画して、以上に記載された全部又は部分の機能を完成してもよい。なお、上記の実施例が提供するイベントリマインド装置とイベントリマインド方法は、同じ主旨に属し、その具体的な過程は方法実施例を参照し、ここでは省略する。
【０２１０】
図１３は、本発明の実施例に係るサーバーの構造模式図である。このサーバー１３００は、認証サーバー１１０又はアラームサーバー１２０であってもよい。該サーバー１３００は構成又は性能の区別によって比較的大きく相違する可能性があり、１つ又は一つ以上の中央処理装置（ｃｅｎｔｒａｌ  ｐｒｏｃｅｓｓｉｎｇ  ｕｎｉｔｓ、ＣＰＵ）１３２２（例えば、１つ又は一つ以上のプロセッサ）と、メモリ１３３２と、アプリケーション１３４２又はデータ１３４４を記憶する１つ又は一つ以上の記憶媒体１３３０（例えば、１つ又は一つ以上の大容量記憶装置）と、を含み得る。ここで、メモリ１３３２と記憶媒体１３３０は短期記憶型または長期記憶型であってもよい。記憶媒体１３３０に記憶されるプログラムは１つ又は一つ以上のモジュール（未図示）を含み得、それぞれのモジュールは、サーバーに対する一連の命令操作を含み得る。更に、中央処理装置１３２２は、記憶媒体１３３０と通信し、サーバー１３００で記憶媒体１３３０中の一連の命令操作を実行するように設置され得る。
【０２１１】
サーバー１３００は、更に１つ又は一つ以上の電源１３２６、１つ又は一つ以上の有線又は無線ネットワークインターフェース１３５０、１つ又は一つ以上の入出力イ（Ｉ／Ｏ）ンターフェース１３５８、１つ又は一つ以上のキーボード１３５６、及び／又は、１つ又は一つ以上のオペレーティング・システム（ＯＳ）１３４１が含み得る。オペレーティング・システム１３４１として、例えば、Ｗｉｎｄｏｗｓ  Ｓｅｒｖｅｒ（登録商標）、Ｍａｃ  ＯＳ  Ｘ（登録商標）、Ｕｎｉｘ（登録商標）、  Ｌｉｎｕｘ（登録商標）、ＦｒｅｅＢＳＤ（登録商標）などである。
【０２１２】
図１４は、例示的な実施例に示されるイベントリマインドに用いられる装置１４００の模式図である。例えば、装置１４００は、携帯電話、コンピューター、デジタル放送端末、メッセージ送受信デバイス、ゲームコンソール、タブレットデバイス、パーソナルデジタルアシスタント等であってもよい。
【０２１３】
図１４を参照して、装置１４００は、プロセスアセンブリ１４０２、メモリ１４０４、電源アセンブリ１４０６、マルチメディアアセンブリ１４０８、オーディオアセンブリ１４１０、入出力（Ｉ／ O）インターフェイス１４１２、センサアセンブリ１４１４、及び通信アセンブリ１４１６のような一つ以上のアセンブリを含んでよい。
【０２１４】
プロセスアセンブリ１４０２は、一般的には装置１４００の全体の操作を制御するものであり、例えば、表示、電話呼び出し、データ通信、カメラ操作、及び記録操作と関連する操作を制御する。プロセスアセンブリ１４０２は、一つ以上のプロセッサ１４１８を含み、これらによって命令を実行することにより、上記の方法の全部、或は一部のステップを実現するようにしてもよい。なお、プロセスアセンブリ１４０２は、一つ以上のモジュールを含み、これらによってプロセスアセンブリ１４０２と他のアセンブリの間のインタラクションを容易にするようにしてもよい。例えば、プロセスアセンブリ１４０２は、マルチメディアモジュールを含み、これらによってマルチメディアアセンブリ１４０８とプロセスアセンブリ１４０２の間のインタラクションを容易にするようにしてもよい。
【０２１５】
メモリ１４０４は、各種類のデータを記憶することにより装置１４００の操作を支援するように構成される。これらのデータの例は、装置１４００において操作されるいずれのアプリケーションプログラム又は方法の命令、連絡対象データ、電話帳データ、メッセージ、画像、ビデオ等を含む。メモリ１４０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０２１６】
電源アセンブリ１４０６は、装置１４００の多様なアセンブリに電力を供給する。電源アセンブリ１４０６は、電源管理システム、一つ以上の電源、及び装置１４００のための電力の生成、管理及び割り当てに関連する他のアセンブリを含んでもよい。
【０２１７】
マルチメディアアセンブリ１４０８は、前記装置１４００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１４０８は、一つのフロントカメラ、及び／又はリアカメラを含む。装置１４００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２１８】
オーディオアセンブリ１４１０は、オーディオ信号を入出力するように構成されてもよい。例えば、オーディオアセンブリ１４１０は、一つのマイク（ＭＩＣ）を含み、装置１４００が、例えば呼出しモード、記録モード、及び音声認識モード等の操作モードにある場合、マイクは外部のオーディオ信号を受信することができる。受信されたオーディオ信号は、さらにメモリ１４０４に記憶されたり、通信アセンブリ１４１６を介して送信されたりされる。上記の実施例において、オーディオアセンブリ１４１０は、オーディオ信号を出力するための一つのスピーカーをさらに含む。
【０２１９】
Ｉ／Ｏインターフェイス１４１２は、プロセスアセンブリ１４０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０２２０】
センサアセンブリ１４１４は、装置１４００に各方面の状態に対する評価を提供するための一つ以上のセンサを含む。例えば、センサアセンブリ１４１４は、装置１４００のＯＮ／ＯＦＦ状態、装置１４００のディスプレイとキーパッドのようなアセンブリの相?的な位置決めを検出できる。また、例えば、センサアセンブリ１４１４は、装置１４００、或は装置１４００の一つのアセンブリの位置変更、ユーザと装置１４００とが接触しているか否か、装置１４００の方位、又は加速／減速、装置５００の温度の変化を検出できる。センサアセンブリ１４１４は、何れの物理的接触がない状態にて付近の物体の存在を検出するための近接センサを含んでもよい。センサアセンブリ１４１４は、撮影アプリケーションに適用するため、ＣＭＯＳ、又はＣＣＤ画像センサのような光センサを含んでもよい。上記の実施例において、当該センサアセンブリ１４１４は、加速度センサ、ジャイロスコープセンサ、磁気センサ、圧力センサ、及び温度センサをさらに含んでもよい。
【０２２１】
通信アセンブリ１４１６は、装置１４００と他の機器の間に有線、又は無線形態の通信を提供する。装置１４００は、例えばＷｉＦｉ、２Ｇ、３Ｇ、或はこれらの組み合わせのような、通信規格に基づいた無線ネットワークに接続されてもよい。一つの例示的な実施例において、通信アセンブリ１４１６は、放送チャンネルを介して外部の放送管理システムからの放送信号、又は放送に関連する情報を受信する。一つの例示的な実施例において、前記通信アセンブリ１４１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０２２２】
例示的な実施例において、装置１４００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０２２３】
例示的な実施例において、さらに、命令を含むコンピュータ読取り可能な非一時的な記録媒体、例えば命令を含むメモリ１４０４を提供しており、装置１４００のプロセッサ１４１８により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０２２４】
本分野の当業者は、明細書を参照し、ここで公開した発明を実行すると、本発明の他の実施例を容易に想到できる。本願は、本発明の何れの変形、用途または適応的な変更を含み、これらの変形、用途又は適応的な変化は、本発明の一般的な原理に従い、本明細書に公開されなかった本技術分野において公知の常識又は慣用の技術手段を含む。明細書と実施例は、単に例示的なものであり、本発明の保護範囲と主旨は特許請求の範囲によって確定される。
【０２２５】
本発明は、上記に記載され図面に示された詳細な構造に限定されていなく、その範囲内で様々な修正と変更を行うことができる。本発明の範囲は、特許請求の範囲だけによって制限される。
【０２２６】
本願は、出願番号が２０１４１０１１９６３０.０であって、出願日が２０１４年３月２７日である中国特許出願に基づき優先権を主張し、当該中国特許出願の全ての内容を本願に援用する。
【国際調査報告】
2016518786.tif 000023
2016518786.tif 000024
2016518786.tif 000025
2016518786.tif 000026